(57)【要約】      （修正有）【課題】皮膚ソーキングデバイスに関し、より具体的には、フェイスソーキングデバイスを提供する。【解決手段】ベッセル１２０及びベッセルネックガスケット５００を含み、ベッセルは、液体を保持し、ユーザの顔又はその一部分を沈めるように構成され得、ベッセルネックガスケットは、ベッセルに（除去可能に）接合され得、ユーザの首の一部分を快適に収容するように構成され得る。また、デバイスは、呼吸装置１３０を含むことが可能であり、呼吸装置は、ベッセル、ヘッドレストサブアセンブリ１４０、及び／又は、ユーザと除去可能に接触していることが可能である。呼吸装置は、ユーザの顔が液体の中に沈められ得る間に、ユーザが呼吸することを可能にするように構成され得る。ベッセルが少なくとも十分なレベルまで液体で充填され得るときには、ユーザは、顔又はその一部分を浸漬させることが可能な構成とする。【選択図】図１
2017221655.tif 000002
【特許請求の範囲】
【請求項１】
一次的な水密シールを形成するためのコンポーネントであって、
ベッセルの側壁の上に位置付けされている第１の構造部材であるネック−ガスケット−アコモデータであって、コンタを有しており、前記コンタは、前記ベッセルの上部リムの下方にある開放経路を辿っており、受け入れチャネルが、前記コンタの中へ延在している、ネック−ガスケット−アコモデータと、
相手側縁部を備えたベッセルネックガスケットであって、前記相手側縁部の少なくとも一部分が、前記受け入れチャネルの中にフィットする、ベッセルネックガスケットと、
相手側壁縁部を備えた第２の構造部材であるクランプであって、前記相手側壁縁部の少なくとも一部分が、前記受け入れチャネルの中にフィットする、クランプと、を備え、
前記クランプの一部分の幅、ベッセルネックガスケットの幅、及び、前記受け入れチャネルの幅は、前記相手側壁縁部の前記少なくとも一部分及び前記相手側縁部の前記少なくとも一部分が前記受け入れチャネルの中へ受け入れられるときに、前記一次的な水密シールが前記受け入れチャネルの一部分と前記ベッセルネックガスケットのいくつかの部分との間に形成されるように、サイズ決めされている、コンポーネント。
【請求項２】
前記コンタの前記開放経路は連続的になっている、請求項１に記載の一次的な水密シールを形成するためのコンポーネント。
【請求項３】
前記コンタの前記開放経路は、前記側壁の前面から見たときに、湾曲した形；丸形；半円形；半長円形；Ｕ字形状；馬蹄形形状、半楕円形；部分的な円形の円弧；部分的な長円形の円弧；部分的な楕円形の円弧；円形の３分の１〜３分の３；楕円形の３分の１〜３分の３；長円形の３分の１〜３分の３；又は、端部が開口した多角形を近似する形状のうちの１つとして、実質的に形状決めされている、請求項１に記載の一次的な水密シールを形成するためのコンポーネント。
【請求項４】
前記受け入れチャネルの断面は、湾曲した形；丸形；半円形；半長円形；Ｕ字形状；馬蹄形形状、半楕円形；部分的な円形の円弧；部分的な長円形の円弧；部分的な楕円形の円弧；円形の３分の１〜３分の３；楕円形の３分の１〜３分の３；長円形の３分の１〜３分の３；又は、端部が開口した多角形を近似する形状のうちの１つとして、実質的に形状決めされている、請求項１に記載の一次的な水密シールを形成するためのコンポーネント。
【請求項５】
前記受け入れチャネルが前記コンタの中へ延在する方向は前記側壁の主要平面に実質的に平行になっている、請求項１に記載の一次的な水密シールを形成するためのコンポーネント。
【請求項６】
ある領域は、前記ネック−ガスケット−アコモデータを備え、かつ、前記ネック−ガスケット−アコモデータが前記側壁に接合する場所を備え、前記領域は、断面で、アラビア数字「４」に似ている、請求項１に記載の一次的な水密シールを形成するためのコンポーネント。
【請求項７】
前記ベッセルネックガスケットは、可撓性の部材及びキャリアを含み、前記可撓性の部材は、可撓性であり、実質的に平面的になっており、前記キャリアは、いくらかの剛性を前記可撓性の部材に提供する第３の構造部材であり、前記キャリアは、前記可撓性の部材に取り付けられており、前記キャリア及び前記可撓性の部材の両方が、前記相手側縁部を共有する、請求項１に記載の一次的な水密シールを形成するためのコンポーネント。
【請求項８】
前記可撓性の部材は実質的にエラストマーである、請求項７に記載の一次的な水密シールを形成するためのコンポーネント。
【請求項９】
前記相手側壁縁部の前記少なくとも一部分及び前記相手側縁部の前記少なくとも一部分が前記受け入れチャネルの中へ受け入れられるときに、前記受け入れチャネルの中の前記可撓性の部材の部分が圧縮され、それが、前記一次的な水密シールを形成することに寄与する、請求項８に記載の一次的な水密シールを形成するためのコンポーネント。
【請求項１０】
前記可撓性の部材は上部縁部を備え、前記上部縁部の少なくとも一部分は、前記ベッセルネックガスケットが前記受け入れチャネルに取り付けられているときに、前記ベッセルの前記上部リムを越えて延在しており、前記可撓性の部材の前記上部縁部及び前記相手側縁部は、前記可撓性の部材に関して閉じた形状を規定している、請求項７に記載の一次的な水密シールを形成するためのコンポーネント。
【請求項１１】
前記キャリアは、リジッドからセミリジッドである、請求項７に記載の一次的な水密シールを形成するためのコンポーネント。
【請求項１２】
前記キャリアは、前記コンタの前記開放経路の形状に相補的に形状決めされている、請求項７に記載の一次的な水密シールを形成するためのコンポーネント。
【請求項１３】
前記相手側縁部は、前記受け入れチャネルの形状に相補的に形状決めされている、請求項１に記載の一次的な水密シールを形成するためのコンポーネント。
【請求項１４】
前記クランプの前記相手側壁縁部は、前記受け入れチャネルの中への挿入を容易にするために、面取り部を有する、請求項１に記載の一次的な水密シールを形成するためのコンポーネント。
【請求項１５】
前記クランプは、フィンガープルにおいて終端しており、前記フィンガープルは、前記クランプを前記受け入れチャネルから除去するために、ユーザの指によって係合可能である、請求項１に記載の一次的な水密シールを形成するためのコンポーネント。
【請求項１６】
前記クランプは、前記クランプから延在するタブを有しており、前記タブは、前記側壁の主要平面から実質的に垂直になっており、前記タブは、前記ネック−ガスケット−アコモデータの角部の上にパチンと留まる、請求項１に記載の一次的な水密シールを形成するためのコンポーネント。
【請求項１７】
前記クランプは、リジッドからセミリジッドである、請求項１に記載の一次的な水密シールを形成するためのコンポーネント。
【請求項１８】
前記クランプの断面は、閉じた多角形、文字「ｆ」、文字「Ｌ」、文字「Ｊ」、又は文字「Ｃ」に似ている、請求項１に記載の一次的な水密シールを形成するためのコンポーネント。
【請求項１９】
前記クランプ及び前記ベッセルネックガスケットは、前記受け入れチャネルから除去可能になっている、請求項１に記載の一次的な水密シールを形成するためのコンポーネント。
【発明の詳細な説明】
【技術分野】
【０００１】
優先権の通知
[0001]  本出願は、米国特許法第１１９条（ｅ）の下で、２０１６年６月１７日に出願された米国仮特許出願、出願第６２／３５１，８３０号の優先権を主張し、その開示は、その全体が、参照により本明細書に組み込まれている。
【０００２】
[0002]  本特許出願は、２０１５年１０月７日に出願された米国非仮特許出願第１４／８７７，８５６号、及び、２０１５年１２月９日に出願された米国非仮特許出願第１４／９６４，５５２号の一部継続出願（ＣＩＰ）であり、本特許出願は、米国特許法第１２０条の下で両方の前記米国非仮特許出願の優先権を主張する。上記で特定されている親の米国非仮特許出願は、その全体が、下記に完全に述べられているかのように、参照により本明細書に組み込まれている。
【０００３】
[0003]  本特許出願は、２０１５年１０月７日に出願された特許出願第ＰＣＴ／ＵＳ１５／５４５７６号の一部継続出願（ＣＩＰ）であり、本特許出願は、前記ＰＣＴ非仮特許出願の優先権を主張する。
【０００４】
関連特許出願の相互参照
[0004]  本出願は、２０１５年１０月７日に出願された、現在係属中の特許出願第ＰＣＴ／ＵＳ１５／５４５７６号に関連しており、前記現在係属中のＰＣＴ特許出願は、その全体が参照により組み込まれている。
【０００５】
[0005]  本発明は、概して、皮膚ソーキングデバイスに関し、より具体的には、フェイスソーキングデバイスに関する。
【０００６】
著作権及び商標権の通知
[0006]  本特許出願の開示の一部分は、著作権保護を受ける材料を含む可能性がある。所有者は、特許商標庁の特許包袋又は記録に記されている通りに、誰でも特許文献又は特許開示を複写することができることに異議はないが、その他、あらゆるすべての著作権を留保する。
【０００７】
[0007]  本明細書で参照されている特定のマークは、本出願人又は本譲受人に関連のある又は関連のない第三者のコモンロー商標又は登録商標である可能性がある。これらのマークの使用は、例としてのものであり、また、記述的であると解釈されるべきではなく、又は、そのようなマークのみに関連付けされる材料に本発明の範囲を限定するように解釈されるべきではない。
【背景技術】
【０００８】
[0008]  人間の（及び、陸上脊椎動物の）皮膚（表皮）は、にきび；年齢によるしみを含む、しわ；感染；物理的な損傷；及び、バラ色粃糠疹、アクネロザケア（acne rosacea）を含む、様々な発疹などのような、いくつかの問題に悩まされ得る。これらの皮膚問題のそれぞれが、簡潔に下記に議論され得る。
【０００９】
[0009]  にきびは、詰まった皮膚細孔から生じる可能性があり、それは、膿疱又は吹き出物として、すなわち、ブラックヘッド及びホワイトヘッドと一般に呼ばれているものとして見ることが可能である。そのような目に見えるにきびは、視覚的に不快であるとともに痛みを伴う可能性がある。また、深刻なにきびは、卵胞壁の破裂に関連付けられる物理的な損傷から傷跡をもたらす可能性があり、それは、皮膚の下に深い嚢胞を形成する可能性もある。にきびとして見ることができる詰まった皮膚細孔は、皮脂油、ケラチン、及び／又は、皮膚細孔細菌の代謝副産物の過剰分泌から、並びに、皮膚細孔細菌の細胞から生じる可能性がある。共通の皮膚細孔細菌は、プロピオニバクテリウムアクネス（P. acne）である。
【００１０】
[0010]  皮膚の上の望ましくないしわは、年齢、環境要因、遺伝的要因、及び、繰り返される表情から生じる可能性がある。年齢は、しわ形成の要因である可能性がある。その理由は、皮膚が老化するにつれて、時間の経過とともに蓄積される重力、及び、結合組織の中の変化に部分的に起因して、皮膚は弾性を失うからである。追加的に、年齢とともに、皮脂分泌（皮脂腺から）は、遅くなる可能性があり、それは、年齢とともに、皮膚乾燥の一因となる可能性があり、そのような皮膚乾燥は、しわの視認性を高める可能性がある。環境要因は、日光暴露及び風暴露、並びに、煙に対する暴露を含むことが可能であり、それは、時間の経過とともに、しわの一因となる可能性もある。さらに、目を細めてみること、微笑むこと、及び、考えることなどのような、一貫した表情は、時間の経過とともに、皮膚のしわをもたらす可能性がある。そして、しわに加えて、肝斑及び日光黒子などのような、年齢によるしみは、皮膚が老化して時間の経過とともに様々な環境要因に暴露されるにつれて皮膚の上に出現する可能性がある。
【００１１】
[0011]  追加的に、様々な微生物は、細菌、菌類、原生動物、及び、さらにいくつかの小さい無脊椎動物を含むことが可能であり、それは、表面の上及び皮膚組織の中の両方において、様々なレベルの重症度で、皮膚を感染させる可能性がある。例えば、いくつかのそのような微生物の単なる存在は、死んでいるか又は生きているかにかかわらず、刺激物としての役割を果たし、炎症を引き起こす可能性がある。また、いくつかの微生物代謝副産物は、刺激物としての役割を果たす可能性があり、一方、いくつかの副産物は、実際に有毒である可能性がある。そして、いくつかの微生物は、実際に、皮膚自身、及び／又は、皮脂などのような皮膚の自然分泌物を餌とする可能性がある。また、そのような微生物は、皮膚の上の開放創を感染させ、そのような開放創を使用し、身体に入り込み、より大きい身体の感染の恐れをもたらす可能性がある。
【００１２】
[0012]  追加的に、ウィルスは、伝染性の、痛みを伴う、及び／又は、不快に見える損傷及び水ぶくれ、例えば、単純疱疹を引き起こす可能性がある。破裂された場合に、そのような損傷及び水ぶくれは、皮膚に対して、物理的な損傷及び痛みをもたらす可能性がある。そのようなウィルスは、ヘルペス及びヘルペス状のウィルスを含むことが可能である。
【００１３】
[0013]  皮膚に対する物理的な損傷に関して、これは、様々な創傷、切り傷、擦り傷、火傷、損傷、水ぶくれ、及び破裂などを含むことが可能である。皮膚に対するそのような物理的な損傷は、皮膚が治癒するにつれて瘢痕をもたらす可能性があり、治癒の前に、様々な微生物感染の可能性を増加させる可能性がある。
【００１４】
[0014]  そのような皮膚問題は、とりわけ、顔の上に起こるときに、顔の他の部分に対する固有の視認性に起因して、例えば、人の心理的な、社会的な、及び職業的な幸福などに対して、副次的な不利益的影響をもたらす可能性がある。
【００１５】
[0015]  バラ色粃糠疹は、あるタイプの皮膚発疹である可能性がある。多くの場合、バラ色粃糠疹は、単一の「ヘラルドパッチ」、２〜１０センチメートル（ｃｍ）の楕円形の赤い損傷で始まり、１週間又は２週間の間に、ピンク色及び／又は赤色、フレーク状の、楕円形形状の損傷の多くの小さい（５〜１０ミリメートル（ｍｍ））パッチの全身の発疹が続く可能性があり、それは、胴の上に出現することが多いが、頬の上及び／又は生え際に出現する可能性もある。
【００１６】
[0016]  アクネロザケア又は単なるロザケアは、顔面紅斑（発赤）及び場合によっては吹き出物によって特徴付けられる、慢性の皮膚発疹疾患である可能性がある。ロザケアは、すべての年齢を襲う可能性がある。ロザケアは、典型的に、頬、鼻、又は額を横切る顔の中央部において、発赤として始まる可能性があるが、また、首、胸、耳、及び／又は頭皮を襲う可能性がある。いくつかのケースでは、半恒久的な発赤、毛細血管拡張症（顔の上の表面血管の拡張）、赤いドーム状の丘疹（小さい隆起部）及び膿疱、赤いゴロゴロする目、火傷及び刺痛、並びに、いくつかの進行したケースでは、赤く分葉した鼻（鼻瘤）などのような、追加的な兆候が存在する可能性がある。
【００１７】
[0017]  先行技術は、技術の多様性によってそのような問題に対応してきた。例えば、様々な皮膚問題を治療するための過度の様々な局所軟膏及びクリームが存在することが可能である。しかしながら、ここで関係のあるものは、冒された皮膚を浸漬液の中に浸漬する用途とすることができる。説明にかかわらず、先行技術は、適当な浸漬液の中に皮膚を浸漬させることによって、上述の皮膚問題への改善と正の相関関係を示している。例えば、そのような治療モダリティは、問題となっている浸漬液が主に水であり得るときに、一般的に、当技術分野において、水治療法として知られている可能性がある。しかしながら、そのような水治療法原理は、様々な油、様々なパラフィンワックス（典型的に加熱されている）、及び、油と水の混合物（エマルジョン）などのような、他のそのような浸漬液にも適用され得る。本明細書で使用されているように、水治療法は、特定の浸漬液の中に皮膚を浸すことによって、様々な皮膚問題を治療する手段とすることができ、浸漬液は、主に水であるか、又は、例えば、室温もしくは適当な温度における液体の中の油の形態、適当に加熱されたときの液体の中のパラフィンワックスの形態、又は、油及び水の混合物などのような、いくつかの他の液体とすることができる。
【００１８】
[0018]  そのような水治療法は、浸漬液の中に皮膚の目標領域を浸漬することを必要とする可能性がある。浸漬液は、様々な特性を含むことが可能である。例えば、浸漬液は、様々な溶解塩を含むことが可能であり、そのような液体は、本明細書では、生理食塩水溶液として知られている可能性がある。例えば、浸漬液は、溶解酸素として、及び／又は、浸漬液の中の気泡のいずれかとして、放出された酸素を含む。例えば、浸漬液は、室温に対して増加又は減少した温度を含むことが可能である。そして、例えば、浸漬液は、１つ又は複数のジェットを介して方向付けされ得、絶え間なく続く液体圧力が皮膚の目標領域に方向付けされ得るようになっている。
【００１９】
[0019]  浸漬液としての生理食塩水溶液に関して、本明細書で使用されているような生理食塩水及び塩は、塩化ナトリウムの溶液を表しているだけではなく、主に水などのような溶媒の中に溶解され得る、例えば、カリウム及び／又はマグネシウムなどの、溶液の中の他のミネラルを表している可能性がある。また、塩化物などのような、様々なマイナスイオンが、プラスのミネラルイオンを伴う溶液の中に存在することが可能である。例えば、ナトリウム及びカリウム塩溶液は、塩化物イオンとともに存在することが可能であり、マグネシウムは、エプソムソルトと同様に、硫酸塩イオンとともに存在することが可能である。様々な塩を使用する浸漬液は、異なる利益を助長することが可能である。例えば、いくつかのそのような生理食塩水溶液は、皮膚を軟化させることが可能であり、及び／又は、他のものは、浸漬された皮膚に潤いを与えようとすることが可能である。
【００２０】
[0020]  生理食塩水溶液の中に皮膚を浸漬させることによる皮膚に対する利益は、主に、浸透作用によって機能することが可能である。浸透作用は、（例えば、細胞の中の）高い水濃度のエリアから、低い水濃度のエリア（例えば、生理食塩水溶液）へ、部分的に浸透性の膜（例えば、皮膚細胞を含む、細胞膜など）を横切る水分子のランダム移動とすることができる。従って、生理食塩水溶液が細胞の中の塩分濃度よりも高い塩分濃度を有するときに、浸透作用は、皮膚細胞を含む、細胞から外へ水を引き出すように機能することになる。例えば、人間の血液は、約０．８５重量％の平均塩分濃度を有しており、それは、０．９％に丸められることが多い。従って、皮膚がその中に浸漬している可能性のある生理食塩水溶液が、０．９重量％よりも大きい場合には、皮膚細胞から生理食塩水溶液の中への水分子の浸透流が存在することになる。
【００２１】
[0021]  しかしながら、上述の様々な皮膚問題を治療及び／又は改善するためにいくつかの利益が生じ得るのは、細胞膜を横切る水分子のこのフローからである。
【００２２】
[0022]  例えば、にきびに関して、生理食塩水溶液に暴露されている、にきびを伴う皮膚は、にきびの低減を見ることが可能である。そのような低減は、生理食塩水溶液が皮膚細孔細菌の個体数を低減することによって、及び／又は、生理食塩水溶液が皮膚細孔サイズの低減を促すことによって、細孔の中の皮脂油を低減する生理食塩水溶液から生じ得る。生理食塩水溶液は、細孔からの皮脂油を緩める助けとなり得る。非生理食塩水環境に適合され得る皮膚細孔細菌に関して、そのような細菌は、細菌細胞から外への水分子の浸透流に対処するようには適合されていない可能性がある。そのような生理食塩水溶液は、そのような細菌細胞の繁殖を妨げることが可能である。そのような生理食塩水溶液は、そのような細菌細胞を実際に殺すことが可能である。また、皮膚細孔サイズの低減に関して、これは、水分子の浸透流から生じ得る。
【００２３】
[0023]  しわの低減に関して、しわの寄った皮膚組織を軟化させることによって、及び、年齢に関係付けられる皮膚乾燥と闘うことができる皮脂油を作り出すために皮脂腺を刺激することによって、生理食塩水溶液は、しわを低減することが可能である。例えば、顔を温水に暴露させることは、準備中に顔面皮膚を軟化させ、その顔から頬ひげ（無精ひげ）を剃ることを支援することが可能である。追加的に、所与の生理食塩水溶液の塩分濃度に応じて、生理食塩水溶液は、浸された皮膚に保湿効果を有することが可能である。
【００２４】
[0024]  皮膚の微生物感染を軽減することに関して、上述されているように、主に皮膚の上に存在し得るそれらの微生物は、典型的に、細菌細胞内からの水分子の浸透流に耐えるように適合されてはいない。そのような生理食塩水溶液の中への皮膚の浸漬は、微生物個体数低減をもたらし得る。
【００２５】
[0025]  損傷を受けた皮膚を治癒させる速度を改善することに関して、生理食塩水溶液の中へ浸された皮膚は、治癒を妨げ得る微生物の個体数を低減することによって、治癒の速度の改善を経験することが可能である。そして、また、浸透流は、表面皮膚の下の細胞及び組織の中から、損傷を受けた皮膚部位へ、栄養素及び修復タンパク質の輸送を支援することによって、損傷を受けた皮膚を治癒させることを支援することが可能である。
【００２６】
[0026]  従って、浸されている皮膚組織よりも大きい塩分濃度を有し得る生理食塩水溶液の中へ皮膚を浸漬させることは、浸されている皮膚に対する複数の利益をもたらし得る。
【００２７】
[0027]  ここで、皮膚に関する酸素治療、及び、どのように酸素が上記に特定されている皮膚問題のいくつかを低減することができるかを見てみる。繰り返しになるが、説明にかかわらず、先行技術は、皮膚を酸素に暴露させることに皮膚の改善との正の相関関係を示している。
【００２８】
[0028]  分子酸素（大気酸素）、すなわち、Ｏ２は、細胞呼吸に関して、及び、どのようにそれぞれの脊椎動物細胞がクレブス回路（クエン酸回路）を介してエネルギーを引き出すかいうことの基礎に関して、必須である可能性がある。任意の脊椎動物細胞への一貫した酸素の十分な供給がなければ、その細胞は、低酸素になる可能性があり、また、再生するための、感染と闘うための、及び／又は、治癒するための能力の低下を含む、通常の細胞活動を動作させる能力の低下を有する可能性がある。酸素を十分な濃度で直接的に皮膚に提供することによって、そのような暴露された皮膚は、赤血球の中のヘモグロビンを介した酸素の送達に大きく依存する代わりに、その必要とされる酸素のいくらかを直接的に得ることが可能である。一定の利用可能な酸素の供給源を有するそのような皮膚細胞は、そのような皮膚細胞のすべての通常の細胞活動を可能にすることができる。追加的に、感染性微生物を目標として殺す免疫細胞（例えば、マイクロファージ及び食細胞）は、そのような細胞が十分な酸素の供給を有するときに、より良好に機能する。そして、感染性微生物個体数を低減する酸素の第２のメカニズムは、活性酸素種を形成する酸素の酸化特性及び能力によるものとすることができ、活性酸素種は、次いで、細菌細胞壁に干渉することなどのような、細菌細胞機構を酸化することが可能である。
【００２９】
[0029]  ここで、酸素は、ガス状の形態で皮膚に適用され、及び／又は、浸漬液を含む液体の中の溶解ガスとして、及び／又は、気泡として、放出され得る。例えば、大気は、例えば、おおよそ２０．９５％で、大気酸素を含むことになる。送達されるガス状酸素の濃度は、純酸素を供給源として使用することによって、大気パーセンテージよりも上に増加され得る。しかしながら、皮膚に方向付けされるガス状酸素の使用は、より自由に分散するガスの固有の能力に起因して、制御及び操作することが困難であるという欠点を有する可能性がある。一方、液体の中での酸素の放出は、皮膚の目標エリアが液体の中に浸され得るので、より良好な制御を提供することが可能であり、液体は、次いで、液体の中へ放出された空気又は純酸素からの酸素を有することが可能である。
【００３０】
[0030]  酸素及び生理食塩水溶液の利益は、同じ浸漬液の中へ組み合わせられ得る。例えば、空気（それは、酸素を含む）及び／又は酸素は、適当な生理食塩水溶液の中へポンプ送りされるか、又は放出され得る。追加的に、そのような酸素化された生理食塩水溶液は、酸素化された生理食塩水溶液の温度を制御する利益と組み合わせられ得る。
【００３１】
[0031]  例えば、室温よりも上であるが有害であり得る（例えば、痛みを伴う）温度よりも低い温度に、浸漬液の温度を増加させることは、化学反応の増加（反応速度論）を可能にする。従って、そのような範囲で浸漬液温度を増加させることは、生理食塩水溶液の有効性、並びに、皮膚の酸素化の有効性を増加させる傾向があることになる。追加的に、そのような浸漬液の温度の増加は、ユーザにとって鎮静的でリラックスできる可能性のある環境をもたらし得る。そのような鎮静的でリラックスできる結果は、次いで、ストレスを解消し、頭痛を緩和することが可能である。ストレスの解消は、血液圧力の低下、損傷を受けた皮膚の治癒、及び、より強力な免疫システムを助長することが可能である。従って、浸漬液の温度を増加させることは、どのように生理食塩水及び酸素が皮膚を改善させるために機能するかということに対して、直接的な改善を提供することが可能であるというだけでなく、鎮静的でリラックスできる環境を生成することによって、ストレス解消の副次的な利益が実現され得、それは、次いで、次々とつながる追加的な利益を含むことも可能である。
【００３２】
[0032]  さらに、浸漬液温度を室温よりも上に増加させることは、次いで、浸漬液が熱療法のために使用されることを可能にすることができる。熱療法は、皮膚問題を治療するだけでなく、それに限定されないが、関節炎、変形性関節症、線維筋痛、関節の硬直、滑液包炎、腱炎、捻挫、及び肉離れなどのような、他の病気を治療するために使用され得る。熱、及び、熱を伝達することができる浸漬液は、血流を増加させ、関節の硬直を改善し、痛みを低減することが可能である。例えば、浸漬液として加熱されたパラフィンワックスが利用され得る。そのような加熱されたパラフィンワックスは、強皮症、すなわち、コラーゲンが身体に蓄積する疾患によって引き起こされる硬化した皮膚を軟化させることが可能である。
【００３３】
[0033]  加えて又は代替的に、浸漬液温度を室温よりも下に減少させることは、次いで、浸漬液が寒冷療法のために使用されることを可能にすることができる。チラーの使用によって、チリング機器の使用によって、及び／又は、氷の導入によって、液体を冷やすことは、次いで、様々な寒冷療法が、冷やされた液体の中へ除去可能に浸され得る顔又は他の身体のパーツを治療するために使用されることを可能にすることができる。追加的に又は代替的に、熱療法は、寒冷療法と交互に行われ得、そのような温かさ及び冷たさが交互に起こることは、血流を増加させること、細胞の毒素（例えば、それに限定されないが、乳酸）の除去を容易にすること、及び／又は、火傷を負った組織又は外傷組織の治癒を推進させることを支援することが可能である。
【００３４】
[0034]  また、追加的に、液体ジェット、例えばウォータージェットは、浸された皮膚に方向付けされるときに、ユーザにとって鎮静的でリラックスすることができる環境をもたらし得る。また、そのようなウォータージェットは、浸漬温度が上述されているように増加されるときに、それらの利益を増加させることが可能である。
【００３５】
[0035]  また、光線療法が、一般的に、暴露された皮膚及び／又は身体に様々な利益を付与するために使用され得る。光線療法は、光の供給源を皮膚に方向付けすることを必要とする可能性がある。光のいくつかの波長は、損傷を受けた皮膚の治癒速度を増加させることが見い出されており、そのような損傷は、切り傷、かすり傷、打撲傷、裂傷、及び損傷などを含む。また、紫外線（ＵＶ）光線などのような光は、皮膚の日焼けの目的のために使用され得る。しかしながら、既存の酸素療法及び既存の光線療法の両方が、大気の治療環境において実行され、すなわち、治療されることになる物品（例えば、皮膚の領域）は、浸漬液の中に沈められない。
【００３６】
[0036]  追加的に、皮膚のための治療ガスとして、単なる酸素、空気、又は、酸素を富化された空気を超えて拡大することが望ましい可能性がある。
【００３７】
[0037]  追加的に、一般的に、現在の光線療法デバイスは、一般的に、可視光スペクトル、近赤外線（ＩＲ）、及び近紫外線（ＵＶ）の中の、非常に幅の狭い範囲の波長だけを放射することに向けられている。ＥＭスペクトル全体の領域を包含し得る様々な波長の電磁（ＥＭ）放射線を放射することができ得る拡張デバイスを有することが望ましい可能性があり、すなわち、必ずしも、ＥＭスペクトル全体にわたって放射することができる単一のデバイスではなく（異なる技術が、所与の範囲の波長を作り出すために必要とされ得るので）、それぞれの異なるデバイスが特定の範囲の波長を放射することができ得る多数のＥＭ放射デバイスを有することが望ましい可能性があり、これらの異なるＥＭ放射デバイスが、ＥＭスペクトル全体を集合的にカバーすることが可能であり得るようになっている。
【００３８】
[0038]  浸漬液の中で酸素療法及び／又は光線療法もしくは他のＥＭ療法を実行することは、いくつかの理由のために望ましい可能性がある。液体は大気よりも密度が高いので、酸素（又は、他のガス）を物品の上の目標領域（例えば、浸されている皮膚領域）に方向付けることに対するより多くの制御が、大気中で酸素療法を実行するよりも実現され得、その場合には、吐き出された酸素は大気中へ急速に消散する。浸漬液を使用して、物品の目標領域を除去可能に沈めることによって、液体の有用な特性は、物品の目標領域に関して、特定の用途のために調整され得る。例えば、生理食塩水溶液などのような、液体水は、皮膚を軟化させることが可能であり、また、そのような軟化された皮膚を、酸素及び／又は様々な波長の光への暴露からより良好に利益を得ることができる。液体の中の添加剤が使用され、治癒させること、清潔にすること、元気を回復させること、衛生的にすること、及び、殺菌することなどが可能である。同様に、液体の温度を制御することは、次いで、治療環境が大気であり液体でない場合に可能となり得るものよりもはるかに高い効率で、熱を付与することが可能であり、又は、物品の目標領域から熱を取り去ることが可能であり得る。追加的に、液体の温度を制御することは（上に、下に、又は、維持する）、例えば、反応速度論の視点から、添加剤の有効性を増加又は減少させることが可能である。
【００３９】
[0039]  その上、ＥＭ放射線が浸漬液の中の複数の泡を通して放射され得るときに、泡が存在しない場合と比較して、ＥＭ放射線を受け取る物品の目標領域の増加されたカバー率を提供することによって、光線療法又は他のＥＭ療法を実行することが向上され得ることが発見された。放射されたＥＭ放射線及び泡は、この向上を提供する光学的な連鎖反応（OCR）現象を作り出す。
【００４０】
[0040]  しかしながら、上述されているように、顔の上のそのような皮膚問題に関して、これらの問題は、顔の高い視認性に起因して悪化する。追加的に、現在の技術水準は、水治療法浸漬液が生理食塩水溶液を含み得る、ユーザが水治療法を受けるために顔を浸すことができる手段、酸素（及び／又は、他のガス）の送達、浸漬液温度を増加及び／又は減少させるための加熱手段、及び／又は、液体ジェットの使用を提供しないので、顔の上のこれらの皮膚問題が悪化する。本発明に至るまで、先行技術が対処することができなかった問題は、２つの生物学的な事実から生じる。１つ目として、陸上脊椎動物が、顔の上に位置付けされているその鼻及び／又は口から呼吸し、従って、顔のための水治療法手段は、ユーザの顔が浸されている間にユーザがそれによって呼吸することができる手段を提供する必要がある。そうでなければ、顔の浸漬は、どのくらい長くユーザが自身の呼吸を保持することができるかということに限定される。そして、２つ目として、すべての既存のベッセルは、ユーザの首領域、とりわけ、首の軟部組織領域（首の前面及び側部）を収容するための手段を有しておらず、従って、ユーザがユーザの顔を既存のベッセルの中へ沈めたとすれば、そのベッセルのリムは、首領域に押し込むことになり、不快感を引き起こし、先行技術を顔の水治療法にとって非効果的な状態にする。又は、ユーザは、先行技術ベッセルの中へ彼らの頭部の角度を変えなければならないことになり、また、彼らの顔を浸漬させるために、快適でない角度で彼らの頭部を保持しなければならないことになり、それは、長時間にわたる場合には、首の痛みをもたらす可能性がある。追加的に、少なくともある実施形態では、そのようなデバイスが、ユーザの頭部領域、とりわけ、額を快適に支持することができる場合に、顔の浸漬を助長することが望ましい可能性があり、それは、快適であり、首を引っ張らない可能性があり、ユーザは、長期間にわたって快適に彼らの顔を浸漬させることが可能である。
【００４１】
[0041]  浸漬液の中に除去可能に沈められることになり、次いで、酸素などのような様々な気泡で治療され、可視光などのような様々な波長のＥＭ放射線で治療される、物品の具体的に目標にされた領域（例えば、皮膚）を治療することを可能にし、及び／又は、液体の中の泡を通してＥＭ放射線を方向付けすることから生じ得る、ＥＭ放射線及び泡の相乗的な組み合わせによって治療される領域の向上されたＥＭ放射線カバー率を提供することを可能にする、デバイス及び／又は方法に対する必要性が、当技術分野に存在している。
【００４２】
[0042]  次いで、顔が浸されている間にユーザが呼吸することを可能にするとともに、ユーザの首に快適であり得る、浸漬液の中への快適な顔浸漬を助長することができるデバイスに対する必要性が、当技術分野に存在している。
【００４３】
[0043]  これらの目的に対して、本発明が開発された。
【発明の概要】
【００４４】
[0044]  先行技術における限定を最小化するために、及び、本明細書を読んで理解すると明らかになることになる他の限定を最小化するために、本発明の１つ又は複数の実施形態は、フェイスソーキングデバイスを説明することが可能である。
【００４５】
[0045]  ある実施形態は、人が、呼吸チューブ（例えば、呼吸装置）を通して、便利に及び／又は快適に呼吸しながら、長時間にわたって、人の顔を液体の中へ置いて保持するために使用され得るデバイスを提供することが可能である。人が液体の中に自身の顔を浸されている間に、デバイスは、（様々なガスによって）液体をエアレーションすることが可能である。ある実施形態では、デバイスは、人の衣服又はデバイスの周りの隣接エリアへの液体の流出を最小化又は防止するように設計され得る。
【００４６】
[0046]  ある実施形態では、フェイスソーキングデバイスは、ベッセル、及びベッセルネックガスケットを含むことが可能である。ベッセルは、液体を保持し、ユーザの顔又はその一部分を沈めるように構成され得る。ベッセルネックガスケットは、ベッセルに除去可能に接合され得る。ベッセルネックガスケットは、ユーザの首の一部分を快適に収容するように構成され得る。また、ある実施形態では、フェイスソーキングデバイスは、呼吸装置を含むことが可能であり、呼吸装置は、ベッセル、ヘッドサポート、及び／又は、ユーザと除去可能に接触していることが可能である。呼吸装置は、ユーザの顔が（全体的に又は部分的に）液体の中に沈められ得る間に、ユーザが呼吸することを可能にするように構成され得る。ベッセルが少なくとも十分なレベルまで液体で充填され得るときには、ユーザは、顔又はその一部分を浸漬させることが可能であり、浸漬されている皮膚が利益を受けるようになっている。
【００４７】
[0047]  本発明の目的は、浸漬液の中に顔を浸すことによって、顔のにきびの重症度を低減するために使用され得る、フェイスソーキングデバイスを提供することである。
【００４８】
[0048]  本発明の別の目的は、浸漬液の中に顔を浸すことによって、顔のしわ及び／又は顔の年齢によるしみの重症度を低減するために使用され得る、フェイスソーキングデバイスを提供することである。
【００４９】
[0049]  本発明の別の目的は、浸漬液の中に顔を浸すことによって、それに限定されないが、顔面皮膚のウィルス感染、細菌感染、及び／又は真菌感染を含む、微生物感染の重症度を低減するために使用され得る、フェイスソーキングデバイスを提供することである。
【００５０】
[0050]  本発明の別の目的は、浸漬液の中に顔を浸すことによって、顔面皮膚に対する物理的な損傷の重症度を低減するために使用され得る、フェイスソーキングデバイスを提供することである。
【００５１】
[0051]  本発明の別の目的は、浸漬液を保持するように構成され得るベッセルを含むフェイスソーキングデバイスによって、ユーザが浸漬液の中にユーザの顔を沈めることを可能にすることができる、フェイスソーキングデバイスを提供することである。
【００５２】
[0052]  本発明の別の目的は、ユーザの顔が浸漬液の中に浸され得る間に、ユーザが呼吸することを可能にすることができる、フェイスソーキングデバイスを提供することである。
【００５３】
[0053]  本発明の別の目的は、首がフェイスソーキングデバイスに接触することができる場所、とりわけ、首の軟部組織がフェイスソーキングデバイスに接触することができる場所において、首に対する快適性を維持しながら、ユーザが浸漬液の中にユーザの顔を浸すことを可能にすることができる、フェイスソーキングデバイスを提供することである。
【００５４】
[0054]  本発明の別の目的は、ユーザの顔が浸漬液の中に浸され得るときに、ユーザの首の周りの浸漬液流出を最小化することができる、フェイスソーキングデバイスを提供することである。
【００５５】
[0055]  本発明の別の目的は、浸漬液を保持するメインベッセル（例えば、ベッセル）からこぼれる浸漬液をキャッチすることができる、フェイスソーキングデバイスを提供することである。
【００５６】
[0056]  本発明の別の目的は、ベッセルの中にあり得るユーザの頭部の一部分、とりわけ、額の一部分を支持することによって、首に対する快適性を維持しながら、及び、首への負担を軽減しながら、ユーザが浸漬液の中にユーザの顔を浸すことを可能にすることができる、フェイスソーキングデバイスを提供することである。
【００５７】
[0057]  本発明の別の目的は、ヘッドサポート（例えば、ヘッドレストサブアセンブリ）は、調節可能であり得、そのような調節は、垂直方向（高さ方向）及び／又は前後方向になっていることが可能である、フェイスソーキングデバイスを提供することである。
【００５８】
[0058]  本発明の別の目的は、浸漬液が様々なガスを浸漬液の中へ受け入れることができる、フェイスソーキングデバイスを提供することである。
【００５９】
[0059]  本発明の別の目的は、浸漬液の中の空気及び／又は酸素の放出によって、浸漬液が酸素化され得る、フェイスソーキングデバイスを提供することである。
【００６０】
[0060]  本発明の別の目的は、浸漬液の温度が、フェイスソーキングデバイスの室温に対して増加又は減少され得る、フェイスソーキングデバイスを提供することである。
【００６１】
[0061]  本発明の別の目的は、ベッセルが浸漬液の温度を制御することを助けるために絶縁され得る、フェイスソーキングデバイスを提供することである。
【００６２】
[0062]  本発明の別の目的は、フェイスソーキングデバイスが熱療法及び／又は寒冷療法のために使用され得る、フェイスソーキングデバイスを提供することである。
【００６３】
[0063]  本発明の別の目的は、フェイスソーキングデバイスが、熱療法及び／又は寒冷療法のために使用され得、熱療法及び／又は寒冷療法が、皮膚問題を治療するためだけでなく、それに限定されないが、関節炎、変形性関節症、線維筋痛、関節の硬直、滑液包炎、腱炎、捻挫、及び肉離れなどのような、他の病気を治療するためにも使用され得る、フェイスソーキングデバイスを提供することである。
【００６４】
[0064]  本発明の別の目的は、フェイスソーキングデバイスが熱療法及び／又は寒冷療法のために使用され得、熱療法及び／又は寒冷療法が、血流を増加させ、関節の硬直を改善し、痛みを低減することなどが可能である、フェイスソーキングデバイスを提供することである。
【００６５】
[0065]  本発明の別の目的は、フェイスソーキングデバイスが寒冷療法のために使用され得、寒冷療法が、血流を増加させ、関節の硬直を改善し、痛みを低減し、腫れを低減することなどが可能である、フェイスソーキングデバイスを提供することである。
【００６６】
[0066]  本発明の別の目的は、フェイスソーキングデバイスが、熱療法と寒冷療法との間で交互に起こるために使用され得、交互に起こる熱療法及び寒冷療法が、血流を増加させ、関節の硬直を改善し、痛みを低減し、腫れを低減し、治癒を改善し、細胞の毒素を除去することを支援することなどが可能である、フェイスソーキングデバイスを提供することである。
【００６７】
[0067]  本発明の別の目的は、フェイスソーキングデバイスが、少なくともそのような顔面皮膚を軟化させる目的のために、及び／又は、顔の髪（例えば、頬ひげ及び／又は無精ひげ）を軟化させるために、顔面皮膚を浸漬させるために使用され得る、フェイスソーキングデバイスを提供することである。例えば、そのような皮膚の軟化は、顔のひげを剃るために有益である可能性がある。
【００６８】
[0068]  本発明の別の目的は、フェイスソーキングデバイスが、火傷、外部及び／又は内部を治療するために使用され得る、フェイスソーキングデバイスを提供することである。
【００６９】
[0069]  本発明の別の目的は、フェイスソーキングデバイスが、皮膚色合いを明るくするために使用され得る、フェイスソーキングデバイスを提供することである。
【００７０】
[0070]  本発明の別の目的は、フェイスソーキングデバイスが、皮膚色合い（例えば、皮膚色調又は皮膚色彩）を暗くするために使用され得る、フェイスソーキングデバイスを提供することである。
【００７１】
[0071]  本発明の別の目的は、浸漬液がパラフィンワックスとすることができる、フェイスソーキングデバイスを提供することである。
【００７２】
[0072]  本発明の別の目的は、ベッセルの内側表面が、浸漬液の排水を容易にするために、並びに、フェイスソーキングデバイスのクリーニング及び衛生を容易にするために、滑らかとすることができる、フェイスソーキングデバイスを提供することである。
【００７３】
[0073]  本発明の別の目的は、可搬式とすることができ、１人の大人のユーザによって運搬され得る、フェイスソーキングデバイスを提供することである。
【００７４】
[0074]  本発明の別の目的は、ベッセルの内側表面が、１つ又は複数のジェットノズルと、１つ又は複数のインテイクと、浸漬液の圧力が浸されている顔の部分に方向付けされ得るように、インテイクからジェットノズルを通して浸漬液をポンプ送りするための手段と、を含むことが可能である、フェイスソーキングデバイスを提供することである。
【００７５】
[0075]  本発明の別の目的は、ジェットノズルの位置決めが調節可能であり得る、フェイスソーキングデバイスを提供することである。
【００７６】
[0076]  本発明の別の目的は、ベッセルの中の浸漬液の中の顔の浸漬が、ユーザにとって鎮静的でリラックスできるものとすることができ、そのようなストレスが低減され得る、フェイスソーキングデバイスを提供することである。
【００７７】
[0077]  本発明の別の目的は、フェイスソーキングデバイスのそのようなストレス解消使用が、血液圧力を低下させることを推進させること、頭痛重症度に対する軽減、及び／又は、ユーザの免疫システムの向上などのような、さらなる副次的な利益をもたらし得る。
【００７８】
[0078]  さらなる本発明の別の目的は、高品質で信頼性の高い製造方法を利用することができるが、また、効率的でより安価な製造方法であり得る、フェイスソーキングデバイスを提供することである。
【００７９】
[0079]  本発明のこれらの利点及び特徴、並びに、他の利点及び特徴は、特定性を持って本明細書で説明されており、本発明をどのように実践するかということ、及び、本発明をどのように作製するかということの両方に関して、本発明を当業者に理解可能にするようになっている。
【００８０】
[0080]  図の中の要素は、それらの明確性を向上させるために、並びに、本発明のこれらの様々な要素及び実施形態の理解を改善するために、必ずしも原寸に比例して示されていない。その上、一般的であることが知られており、かつ、当業者に良好に理解されている要素は、本発明の様々な実施形態のより明確な図を提供するために、示されていない。
【図面の簡単な説明】
【００８１】
【図１】[0081]全体的な組み立てられたフェイスソーキングデバイスの実施形態を示す図であり得、上面斜視図により示されている。
【図２Ａ】[0082]図１のフェイスソーキングデバイスの前面部分及び上部部分のクローズアップを示すものであり得る。
【図２Ｂ】[0083]図２Ａのフェイスソーキングデバイスの正面図であり得る。図２Ｂは、断面線７−７も含む。
【図２Ｃ】[0084]図２Ａのフェイスソーキングデバイスの前面部分の上面図であり得る。
【図２Ｄ】[0085]図２Ａのフェイスソーキングデバイスの前面部分の背面図であり得る。
【図３Ａ】[0086]上部正面斜視図から示されている、図２Ａのフェイスソーキングデバイスの前面部分の部分的な分解図であり得る。
【図３Ｂ】[0087]上部背面斜視図から示されている、図２Ａのフェイスソーキングデバイスの前面部分の部分的な分解図であり得る。
【図４Ａ】[0088]図２Ａのフェイスソーキングデバイスの前面部分及び上部部分クローズアップを示すものであり得るが、ベッセルネックガスケット及びクランプが除去されており、従って、ネック−ガスケット−アコモデータを見ることができる。
【図４Ｂ】[0089]図４Ａのフェイスソーキングデバイスの正面図であり得る。
【図４Ｃ】[0090]図４Ａのフェイスソーキングデバイスの前面部分の上面図であり得る。
【図４Ｄ】[0091]図４Ａのフェイスソーキングデバイスの前面部分の背面図であり得る。
【図５Ａ】[0092]ベッセルネックガスケットの分解図であり得、キャリアは、可撓性の部材から分離され得、上部正面斜視図から示されている。
【図５Ｂ】[0093]図５Ａの組み立てられたベッセルネックガスケットを示すものであり得、上部正面斜視図から示されている。
【図５Ｃ】[0094]図５Ａの組み立てられたベッセルネックガスケットを示すものであり得、正面図から示されている。
【図５Ｄ】[0095]図５Ａの組み立てられたベッセルネックガスケットを示すものであり得、背面図から示されている。
【図５Ｅ】[0096]図５Ａの組み立てられたベッセルネックガスケットを示すものであり得、上面図から示されている。
【図５Ｆ】[0097]図５Ａの組み立てられたベッセルネックガスケットを示すものであり得、底面図から示されている。
【図５Ｇ】[0098]図５Ａの組み立てられたベッセルネックガスケットを示すものであり得、左側面図から示されている。（右側面図は、図５Ｇの鏡像とすることができる。）
【図６Ａ】[0099]クランプを示すものであり得、上部正面斜視図から示されている。
【図６Ｂ】[00100]図６Ａのクランプを示すものであり得、正面図から示されている。
【図６Ｃ】[00101]図６Ａのクランプを示すものであり得、背面図から示されている。
【図６Ｄ】[00102]図６Ａのクランプを示すものであり得、上面図から示されている。
【図６Ｅ】[00103]図６Ａのクランプを示すものであり得、底面図から示されている。
【図６Ｆ】[00104]図６Ａのクランプを示すものであり得、側面図から示されている。
【図６Ｇ】[00105]図６Ａのクランプの一方の端部（左側端部）のクローズアップを示すものであり得、上部正面斜視図から示されている。
【図７】[00106]図２Ｂに示されている断面線７−７に沿った断面図であり得る。
【図８】[00107]ネック−ガスケット−アコモデータ、ベッセルネックガスケット、及び、クランプの追加的な実施形態の断面図であり得る。
【図９】[00108]ネック−ガスケット−アコモデータ、ベッセルネックガスケット、及び、クランプの追加的な実施形態の断面図であり得る。
【図１０】[00109]ネック−ガスケット−アコモデータ、ベッセルネックガスケット、及び、クランプの追加的な実施形態の断面図であり得る。
【図１１】[00110]ネック−ガスケット−アコモデータ、ベッセルネックガスケット、及び、クランプの追加的な実施形態の断面図であり得る。
【図１２Ａ】[00111]クランプ実施形態が断面で文字「ｆ」に似ていることが可能であることを示すものであり得る。
【図１２Ｂ】[00112]クランプ実施形態が断面で文字「Ｌ」に似ていることが可能であることを示すものであり得る。
【図１２Ｃ】[00113]クランプ実施形態が断面で文字「Ｊ」に似ていることが可能であることを示すものであり得る。
【図１２Ｄ】[00114]クランプ実施形態が断面で文字「Ｃ」に似ていることが可能であることを示すものであり得る。
【図１２Ｅ】[00115]ネック−ガスケット−アコモデータの断面図であり得る。
【発明を実施するための形態】
【００８２】
[00116]  本発明のある実施形態及び適用例を検討する以下の議論において、その一部を形成する添付の図面が参照され、そこでは、図示として、本発明が実践され得る特定の実施形態の描写が行われている。本発明の範囲を逸脱することなく、他の実施形態が利用され得、また、変形が行われ得ることを理解されたい。
【００８３】
[00117]  図１は、全体的な組み立てられたフェイスソーキングデバイス１００の実施形態を示すものであり得、それは、上面斜視図により示されている。いくつかの例示的な実施形態では、図１に示され得るように、フェイスソーキングデバイス１００は、ベッセル１２０、ベッセルネックガスケット５００、及び呼吸装置１３０を含むことが可能である。
【００８４】
[00118]  図１について議論を続けると、ある実施形態では、ベッセル１２０は、ユーザの顔全体又はその一部分を沈めるのに十分な体積の液体を保持され得る。液体がベッセル１２０の中に保持され得る状態で、ベッセル１２０は、ユーザが彼らの顔全体又はその一部分を液体の中に沈める（浸す）ことを可能にするのに十分なレベルで、液体を保持するように構成され得ることが当業者に明らかである。この十分なレベルは、ユーザが彼らの顔をベッセル１２０の内部容積の中へ挿入し、彼らの首の第１の部分をベッセルネックガスケット５００の上に置くときに、彼らの顔が液体の中に完全に浸され得るようになっているときの液体レベルであり得る。ベッセル１２０の最大液体レベルは、この十分なレベルよりも大きく（高く）なっていることが可能である。
【００８５】
[00119]  ある実施形態では、ベッセル１２０は、少なくとも１つの壁部１２１及び少なくとも１つのベース１２５を含むことが可能である。少なくとも１つの壁部１２１及び少なくとも１つのベース１２５は、互いに物理的に接触していることが可能である。少なくとも１つの壁部１２１は、ネック−ガスケット−アコモデータ４００を含むことが可能である。（例えば、ネック−ガスケット−アコモデータ４００に関して図４Ａを参照されたい。）ネック−ガスケット−アコモデータ４００は、ベッセルネックガスケット５００を収容するように構成され得る。ある実施形態では、ネック−ガスケット−アコモデータ４００は、ベッセル１２０の上部から、少なくとも１つの壁部１２１の領域の中へのカットアウトとして形成され得る。ある実施形態では、ネック−ガスケット−アコモデータ４００は、少なくとも１つの壁部１２１の領域の一体成形された構造体として形成され得る。ベッセルネックガスケット５００は、ベッセル１２０に除去可能に接合され得る。ベッセルネックガスケット５００がベッセル１２０に接合することができる場所、すなわち、物理的な接触のそのような表面に沿って接合することができる場所では、一次的な水密シールが、ネック−ガスケット−アコモデータ４００の中に、又は、ネック−ガスケット−アコモデータ４００の付近に形成され得る。例えば、及び、本発明の範囲を限定することなく、ある実施形態では、ネック−ガスケット−アコモデータ４００のこの「付近」は、ネック−ガスケット−アコモデータ４００の構造体から２インチ以下とすることができる。他の実施形態では、ネック−ガスケット−アコモデータ４００の「付近」に関して、他の距離も使用され得る。ベッセルネックガスケット５００は、顔全体又はその第１の部分がベッセル１２０の内部容積の中の液体の中に沈められ得るときに、ユーザの首領域の第１の部分を受け入れることが可能である。ユーザの首領域の第１の部分は、彼らの首がベッセルネックガスケット５００に物理的に接触する場所とすることができる。ユーザの首領域の第１の部分とベッセルネックガスケット５００との間の物理的な接触の性質は、除去可能であり得ることに留意されたい。ベッセルネックガスケット５００がユーザの首領域の第１の部分を受け入れることができるときに、二次的な水密シールが、首領域のこの第１の部分とベッセルネックガスケット５００との間に形成され得る。
【００８６】
[00120]  ある実施形態では、ベッセル１２０は、ダブルハル式になっていることが可能である。
【００８７】
[00121]  ある実施形態では、図１に示され得るように、呼吸装置１３０は、ベッセル１２０に物理的に接触していることが可能である。ある実施形態では、呼吸装置の実施形態は、ヘッドレストサブアセンブリに物理的に接触していることが可能である。両方の実施形態において、呼吸装置の実施形態（例えば、１３０）とベッセル１２０との間の物理的な接触の性質、又は、呼吸の実施形態と所与のヘッドレストサブアセンブリとの間の物理的な接触の性質は、ある実施形態では、除去可能とすることができ、一方、他の実施形態では、除去不可能とすることができる。ある実施形態では、ユーザの口が呼吸装置１３０のマウスピースを保持し得るときに、ユーザは、呼吸装置１３０を使用して呼吸することが可能であり得る。
【００８８】
[00122]  ベッセル１２０がベッセル１２０の最大液体レベル以下のレベルまで液体で充填され得るときには、ユーザは、彼らの顔全体又はその一部分を一定期間にわたって浸漬させることが可能である。この一定間隔にわたって液体の中に浸漬されている皮膚は、健康上の利益、審美的な利益、及び／又は、鎮静的な利益を受けることが可能である。
【００８９】
[00123]  ある実施形態では、利益は、にきびの低減、しわ重症度の低減、皮膚の軟化、皮膚に潤いを与えること、リラクゼーションの促進、損傷を受けた皮膚の治癒の促進、感染した皮膚の治癒の促進、発疹重症度の低減、頭痛（片頭痛を含む）の低減及び／又は排除、外傷組織（火傷を負った組織を含む）の治癒の促進、皮膚色合いを明るくすること、皮膚色合い（色調、色彩）を暗くすること、及び、腫れの低減などのうちの１つ又は複数を含むことが可能である。そのような利益は、液体への顔面皮膚暴露から生じることが可能であり、ここで、その液体の特質は、液体が生理食塩水溶液であること、液体が０．９重量％よりも大きい塩濃度を有する生理食塩水溶液であること、液体の中に空気及び／又は酸素が存在すること、その液体の温度が周囲の室温よりも低く又は高くなっていること、ベッセル１２０の中の液体の循環、及び／又は、その液体が、液体圧力のストリーム又はジェットの形態で、皮膚の一部分に対して方向付けされていることのうちの１つ又は複数を含むことが可能である。
【００９０】
[00124]  ある実施形態では、フェイスソーキングデバイス１００は、ヘッドレストサブアセンブリ１４０をさらに含むことが可能である。ある実施形態では、ヘッドレストサブアセンブリ１４０の少なくともいくつかの部分が、ベッセル１２０に取り付けられ得る。例えば、図１を参照されたい。ある実施形態では、ヘッドレストサブアセンブリ１４０の少なくともいくつかの部分は、ベッセル１２０に除去可能に取り付けられ得る。ある実施形態では、ヘッドレストサブアセンブリ１４０は、サポート部材又はストラップを含むことが可能である。ある実施形態では、サポート部材の少なくともいくつかの部分、又は、ストラップの少なくともいくつかの部分は、ベッセル１２０の内部容積の中に位置付けされ得る。ある実施形態では、顔全体又はその一部分がベッセル１２０の内部容積の中に除去可能に位置付けされているときに、サポート部材又はストラップは、ユーザの頭部の一部分（例えば、額）を物理的に支持する。例えば、図１を参照されたい。
【００９１】
[00125]  ある実施形態では、フェイスソーキングデバイス１００は、ヒータサブアセンブリ１５０をさらに含むことが可能である。ある実施形態では、ヒータサブアセンブリ１５０の少なくとも一部分は、ベッセル１２０に取り付けられ得る。例えば、図１を参照されたい。ある実施形態では、ヒータサブアセンブリ１５０は、ベッセル１２０の内部容積の中の液体の少なくとも一部分を加熱する加熱要素を含むことが可能である。ある実施形態では、ヒータサブアセンブリ１５０は、ベッセル１２０の内部容積の中の液体の少なくとも一部分を加熱及び／又は冷却することを提供することが可能である。
【００９２】
[00126]  ある実施形態では、フェイスソーキングデバイス１００は、エアレータ１６０をさらに含むことが可能である。例えば、図１を参照されたい。ある実施形態では、エアレータ１６０は、ガスディフューザと、ガスディフューザに物理的に連通しているガス供給源とを含むことが可能である。ある実施形態では、ガスディフューザは、ベッセル１２０に取り付けられ得る。ある実施形態では、ガスディフューザは、ベッセル１２０に除去可能に取り付けられ得る。ある実施形態では、ガス供給源は、ガスをガスディフューザに提供する。ある実施形態では、ガスディフューザは、ガスディフューザの多孔性の構造体を通して受け入れられるガスの少なくともいくらかをベッセル１２０の内部容積の中へ解放し、泡がベッセル１２０の内部容積の中の液体の少なくともいくらかの中へ解放され得るようになっている。
【００９３】
[00127]  ある実施形態では、フェイスソーキングデバイス１００は、少なくとも１つの電磁（ＥＭ）エミッタをさらに含むことが可能である。ある実施形態では、少なくとも１つのＥＭエミッタは、所定の波長で電磁放射線を放射する。ある実施形態では、少なくとも１つのＥＭエミッタの少なくともいくつかの部分が、ベッセル１２０に取り付けられ得る。ある実施形態では、放射された電磁放射線のうちの少なくともいくらかが、ベッセル１２０の内部容積の中へ放射される。例えば、及び、本発明の範囲を限定することなく、ある実施形態では、少なくとも１つのＥＭエミッタは、少なくとも１つの光源を含むことが可能であるが、それは、例えば、ＬＥＤ（発光ダイオード）、又は、１つもしくは複数の列のＬＥＤなどに限定される。
【００９４】
[00128]  ある実施形態では、フェイスソーキングデバイス１００は、フェイスソーキングデバイス１００の電子機器及び／又は電気機械的なコンポーネントを制御するための制御部１７０をさらに含むことが可能である。そのような電子的なコンポーネント及び電気機械的なコンポーネントは、１つ又は複数のヒータサブアセンブリ１５０、エアレータ１６０、及び／又は、少なくとも１つの電磁エミッタを含むことが可能である。例えば、図１を参照されたい。
【００９５】
[00129]  図２シリーズの図は、図２Ａから図２Ｄを含むことが可能である。これらの図２シリーズの図は、ベッセル１２０に除去可能に取り付けられるベッセルネックガスケット５００を示すものであり得る。それとは対照的に、図３シリーズの図（図３Ａ及び図３Ｂ）は、ベッセル１２０から離れるように分解されたベッセルネックガスケット５００、すなわち、ベッセル１２０から除去可能に取り外されているベッセルネックガスケット５００を示すものであり得、図４シリーズは、ベッセル１２０のネック−ガスケット−アコモデータ４００を示すことに焦点を合わせている可能性があり、すなわち、ベッセルネックガスケット５００は、ベッセル１２０に除去可能に取り付けられる。図５シリーズの図は、単にベッセルネックガスケット５００を示すことに焦点を合わせている可能性がある。図６シリーズは、単にクランプ６００を示すことに焦点を合わせている可能性があり、それは、ある実施形態では、ベッセルネックガスケット５００をネック−ガスケット−アコモデータ４００に除去可能に固定する助けとなり得る。図７は、ベッセルネックガスケット５００がネック−ガスケット−アコモデータ４００に除去可能に取り付けられている構成の断面図であり得る。
【００９６】
[00130]  図２シリーズの図に戻って見ると、図２Ａは、フェイスソーキングデバイス１００の前面部分及び上部部分のクローズアップを示すものであり得、ベッセル１２０に除去可能に取り付けられているベッセルネックガスケット５００を示している。図２Ｂは、図２Ａのフェイスソーキングデバイス１００の正面図であり得る。図２Ｃは、図２Ａのフェイスソーキングデバイス１００の前面部分の上面図であり得る。図２Ｄは、図２Ａのフェイスソーキングデバイス１００の前面部分の背面図であり得る。
【００９７】
[00131]  正面図は、少なくともベッセルネックガスケット５００がベッセル１２０に取り付けられている可能性があるときに、ベッセルネックガスケット図としても知られている可能性があり、左側面図は、正面図を見ている観察者に対するものである可能性があり、左側面図は、観察者の左側に対するものである可能性があり、すなわち、正面図から見たときのフェイスソーキングデバイス１００（又は、そのコンポーネント）の左側である可能性があることに留意されたい。
【００９８】
[00132]  図３シリーズの図は、図３Ａ及び図３Ｂを含むことが可能である。図３Ａは、上部正面斜視図から示されている、図２Ａのフェイスソーキングデバイス１００の前面部分の部分的な分解図であり得る。図３Ｂは、上部背面斜視図から示されている、図２Ａのフェイスソーキングデバイス１００の前面部分の部分的な分解図であり得る。図３Ａ及び図３Ｂの両方において、ベッセルネックガスケット５００は、ベッセル１２０から離れるように除去されて示されている可能性がある。図３Ａ及び図３Ｂの両方において、ベッセルネックガスケット５００がベッセル１２０から離れるように除去されて示されている可能性があるので、ネック−ガスケット−アコモデータ４００の一部分が示され得る。また、図３Ａ及び図３Ｂの両方において、クランプ６００はまた、ベッセル１２０から離れるように除去されて示され得る。
【００９９】
[00133]  ある実施形態では、ベッセルネックガスケット５００は、クランプ６００を使用することによって、ネック−ガスケット−アコモデータ４００に取り付けられ得る。例えば、図３Ａ、図３Ｂ、及び図７を参照されたい。
【０１００】
[00134]  図４シリーズの図は、図４Ａから図４Ｄを含むことが可能である。記述されているように、これらの図４シリーズは、ベッセル１２０のネック−ガスケット−アコモデータ４００を示すことに焦点を合わせている可能性があり、すなわち、ベッセルネックガスケット５００は、ベッセル１２０に除去可能に取り付けられる。ベッセルネックガスケット５００は、図４シリーズの図には示されていない可能性があることに留意されたい。ベッセルネックガスケット５００は、図４シリーズの図には示されていない可能性があることに留意されたい。クランプ６００は、図４シリーズの図には示されていない可能性があることに留意されたい。図４Ａは、図２Ａのフェイスソーキングデバイス１００の前面部分及び上部部分のクローズアップを示すものであり得る。図４Ｂは、図４Ａのフェイスソーキングデバイス１００の正面図であり得る。図４Ｃは、図４Ａのフェイスソーキングデバイス１００の前面部分の上面図であり得る。図４Ｄは、図４Ａのフェイスソーキングデバイス１００の前面部分の背面図であり得る。図４Ａは、図２Ａに対応している可能性があり、図４Ｂは、図２Ｂに対応している可能性があり、図４Ｃは、図２Ｃに対応している可能性があり、図４Ｄは、図２Ｄに対応している可能性があるが、これらの図４シリーズの図では、ベッセルネックガスケット５００及びクランプ６００がベッセル１２０から除去されている可能性があり、従って、ネック−ガスケット−アコモデータ４００を見ることができる可能性がある。
【０１０１】
[00135]  図５シリーズの図は、図５Ａから図５Ｇを含むことが可能である。記述されているように、これらの図５シリーズの図は、単にベッセルネックガスケット５００を示すことに焦点を合わせている可能性がある。図５Ａは、ベッセルネックガスケット５００の分解図であり得、キャリア５１１は、可撓性の部材５０５から分離され得、上部正面斜視図から示されている。図５Ｂは、組み立てられたベッセルネックガスケット５００を示すものであり得、上部正面斜視図から示されている。図５Ｃは、組み立てられたベッセルネックガスケット５００を示すものであり得、正面図から示されている。図５Ｄは、組み立てられたベッセルネックガスケット５００を示すものであり得、背面図から示されている。図５Ｅは、組み立てられたベッセルネックガスケット５００を示すものであり得、上面図から示されている。図５Ｆは、組み立てられたベッセルネックガスケット５００を示すものであり得、底面図から示されている。図５Ｇは、組み立てられたベッセルネックガスケット５００を示すものであり得、左側面図から示されている。（右側面図は、図５Ｇの鏡像とすることができる。）
【０１０２】
[00136]  図６シリーズの図は、図６Ａから図６Ｇを含むことが可能である。記述されているように、これらの図６シリーズの図は、単にクランプ６００を示すことに焦点を合わせている可能性がある。図６Ａは、クランプ６００を示すものであり得、上部正面斜視図から示されている。図６Ｂは、クランプ６００を示すものであり得、正面図から示されている。図６Ｃは、クランプ６００を示すものであり得、背面図から示されている。図６Ｄは、クランプ６００を示すものであり得、上面図から示されている。図６Ｅは、クランプ６００を示すものであり得、底面図から示されている。図６Ｆは、クランプ６００を示すものであり得、側面図から示されている。図６Ｇは、クランプ６００の一方の端部（左側端部）のクローズアップを示すものであり得、上部正面斜視図から示されている。
【０１０３】
[00137]  図７は、図２Ｂに示されている断面線７−７に沿った断面図であり得る。ネック−ガスケット−アコモデータ４００、クランプ６００、ベッセルネックガスケット５００の横断幅方向の断面が、図７に見える可能性があり、すべてがその組み立てられた構成になっており、クランプ６００は、ベッセルネックガスケット５００をベッセル１２０のネック−ガスケット−アコモデータ４００に除去可能に取り付けることを支援している可能性がある。
【０１０４】
[00138]  ある実施形態では、ネック−ガスケット−アコモデータ４００、ベッセルネックガスケット５００、及びクランプ６００は、すべて一緒に連通し、一次的な水密シールを形成することが可能である。図２Ａを図３Ａと比較されたい。図２Ａでは、一次的な水密シールは、損傷を受けていない状態である可能性があり、一方、図３Ａは、どのように一次的な水密シールが形成され得るか又は形成されていないかを示すものであり得る。
【０１０５】
[00139]  ある実施形態では、一次的な水密シールを形成するためのコンポーネントは、ネック−ガスケット−アコモデータ４００、ベッセルネックガスケット５００、及びクランプ６００（又は、クランプ８００、クランプ９００、クランプ１０００、もしくはクランプ１１００）を含むことが可能である。ある実施形態では、ネック−ガスケット−アコモデータ４００は、ベッセル１２０の側壁（例えば、壁部１２１）の上に位置付けされている構造部材とすることができる。ある実施形態では、ネック−ガスケット−アコモデータ４００は、コンタ４０２を有することが可能である。ある実施形態では、コンタ４０２は、ベッセル１２０の上部リム１２２の下にあり得る開放経路を辿ることが可能である。ある実施形態では、この開放経路は、連続的とすることができる。ある実施形態では、受け入れチャネル４０８が、コンタ４０２の中へ延在している可能性がある。例えば、図４Ａを参照されたい。ある実施形態では、ベッセルネックガスケット５００は、相手側縁部５０１を含むことが可能である。例えば、図５Ａを参照されたい。ある実施形態では、相手側縁部５０１の少なくとも一部分は、受け入れチャネル４０８の中にフィットすることが可能である。例えば、図３Ａ、図７、図８、図９、図１０、及び図１１を参照されたい。ある実施形態では、クランプ（例えば、６００、８００、９００、１０００、又は１１００）も構造部材とすることができる。ある実施形態では、クランプ（例えば、６００、８００、９００、１０００、又は１１００）は、相手側壁縁部６０３を含むことが可能である。例えば、図６Ａを参照されたい。ある実施形態では、相手側壁縁部６０３の少なくとも一部分は、受け入れチャネル４０８の中にフィットすることが可能である。例えば、図３Ａ、図７、図８、図９、図１０、及び図１１を参照されたい。ある実施形態では、クランプ（例えば、６００、８００、９００、１０００、又は１１００）の一部分の幅、ベッセルネックガスケット５００の幅、及び、受け入れチャネル４０８の幅は、相手側壁縁部６０３の少なくとも一部分及び相手側縁部５０１の少なくとも一部分が受け入れチャネル４０８の中へ受け入れられるときに、一次的な水密シールが、受け入れチャネル４０８の一部分とベッセルネックガスケット５００のいくつかの部分との間に形成されるように、サイズ決めされ得る。例えば、図３Ａ、図７、図８、図９、図１０、及び図１１を参照されたい。ある実施形態では、クランプ６００（及び、本明細書で開示されている他のクランプ）及びベッセルネックガスケット５００は、受け入れチャネル４０８から除去可能とすることができる。例えば、図３Ａを参照されたい。
【０１０６】
[00140]  ある実施形態では、ネック−ガスケット−アコモデータ４００は、ベッセル１２０の少なくとも１つの壁部１２１の中にあることが可能である。ある実施形態では、ベッセル１２０の少なくとも１つの壁部１２１は、ネック−ガスケット−アコモデータ４００を含むことが可能である。多くの図は、フェイスソーキングデバイス１００の前面壁部の中に位置付けされているネック−ガスケット−アコモデータ４００を示している。ある実施形態では、ネック−ガスケット−アコモデータ４００は、ベッセル１２０の前面壁部の中に形成され得る。例えば、図４シリーズの図、例えば、図４Ａ及び図４Ｃなどを参照されたい。
【０１０７】
[00141]  ある実施形態では、ネック−ガスケット−アコモデータ４００は、コンタ４０２を含むことが可能である。コンタ４０２は、一般的に、ネック−ガスケット−アコモデータ４００の全体的な形状を辿ることが可能である。コンタ４０２は、１つ又は複数の表面を含むことが可能である。ある実施形態では、そのような表面は、互いの方を向く、フェイスソーキングデバイスの前面の方を向く、フェイスソーキングデバイスの後面の方を向く、及び／又は、ベッセル１２０の底部内側表面の上側表面から離れる方を向く、のうちの１つ又は複数とすることができる。例えば、図４Ａ及び図４Ｂを参照されたい。
【０１０８】
[00142]  ある実施形態では、ネック−ガスケット−アコモデータ４００は、ベッセル１２０のリム１２２の下に延びている少なくとも１つの壁部１２１の中のコンタ４０２を含むことが可能である。ある実施形態では、コンタ４０２は、ネック−ガスケット−アコモデータ４００の表面が最初にリム１２２の下方に延びる場所において始まり、コンタ４０２は、ネック−ガスケット−アコモデータ４００の表面がリム１２２まで延びて戻る場所において終了するまで、継続している。ある実施形態では、コンタ４０２が始まる場所、及び、コンタ４０２が終了する場所は、水平方向幅４０４によって分離され得る。ある実施形態では、コンタ３３８は、リム１２２の高さからコンタ４０２の上の最下点へ、最大垂直方向長さ４０６を有する。例えば、図４Ｂを参照されたい。
【０１０９】
[00143]  ある実施形態では、水平方向幅４０４は、ユーザの首の直径以上であることが可能である。ある実施形態では、最大垂直方向長さ４０６は、ユーザの首の直径の半分以上であることが可能である。例えば、何人かの大きい大人の男は、約２１インチの首回りを有する可能性があり、それは、約６．６９インチの首直径をもたらす。例えば、及び、本発明の範囲を限定することなく、ある実施形態では、水平方向幅４０４は、７〜１１インチとすることができる。例えば、及び、本発明の範囲を限定することなく、ある実施形態では、最大垂直方向長さ４０６は、３．５〜７インチとすることができる。
【０１１０】
[00144]  ネック−ガスケット−アコモデータ４００は、最大垂直方向長さ４０６を含むことが可能であり、最大垂直方向長さ４０６は、ユーザの首領域の第２の部分よりも大きく、リム１２２からベッセル１２０の少なくとも１つのベース１２５に向けて延在し、ネック−ガスケット−アコモデータ４００の最も底の部分まで延在している。例えば、図４Ｂを参照されたい。首領域の第２の部分は、ユーザの首の前面の垂直方向のエリア、すなわち、首の軟部組織とすることができ、そこにおいて、首は、ベッセルネックガスケット５００に接触している可能性がある。ネック−ガスケット−アコモデータ４００は、水平方向幅４０４を有することが可能であり、水平方向幅４０４は、ベッセル１２０の水平方向幅（例えば、横断幅、又は、左側から右側）において中心を合わされているユーザの首領域の第３の部分よりも大きくなっており、リム１２２から対向するリム１２２へ、ネック−ガスケット−アコモデータ４００が生成する開口を横切って延在している。例えば、図４Ｂを参照されたい。首領域の第３の部分は、ユーザの首の前面の水平方向のエリア、すなわち、首の軟部組織側とすることができ、そこにおいて、首は、ベッセルネックガスケット５００に接触している可能性がある。
【０１１１】
[00145]  ユーザの首領域の第１の部分、第２の部分、及び第３の部分に関して、第１の部分は、第２の部分及び第３の部分を含む可能性があることに留意されたい。すなわち、第２の部分は、第１の部分の垂直方向の寸法を定義している可能性があり、第３の部分は、第１の部分の水平方向の寸法を定義している可能性がある。例えば、及び、本発明の範囲を限定することなく、首領域のこの第１の部分は、首ののどぼとけが位置付けされ得る場所に対応し得る首の一部分とすることができ、のどぼとけ領域、又は、のどぼとけのない首の上の対応する領域から、２インチまでを含む。
【０１１２】
[00146]  ある実施形態では、少なくとも１つのベース１２５（少なくとも１つのベース１２５に関して図１を参照されたい）に関して、又は、ネック−ガスケット−アコモデータ４００を有する壁部１２１の前面から見たときに、ネック−ガスケット−アコモデータ４００の全体的な形状は、所与のフェイスソーキングデバイス実施形態（例えば、フェイスソーキングデバイス１００）の中で使用中のときに、ベッセルネックガスケット５００及びユーザの首領域の第１の部分を受け入れるのに適切に形状決めされ得る。例えば、図４Ｂを参照されたい。図４Ｂでは、ネック−ガスケット−アコモデータ４００のコンタ４０２の全体的な形状は、例えば、フェイスソーキングデバイス１００の前面から見たときに、湾曲した形；丸形；半円形；半長円形；Ｕ字形状；馬蹄形形状、半楕円形；部分的な円形の円弧；部分的な長円形の円弧；部分的な楕円形の円弧；円形の３分の１〜３分の３；楕円形の３分の１〜３分の３；及び／又は、長円形の３分の１〜３分の３などとすることができる。
【０１１３】
[00147]  ある実施形態では、フェイスソーキングデバイス１００の前面から見たときのコンタ４０２の形状（すなわち、全体的な形状）は、湾曲した形；丸形；半円形；半長円形；Ｕ字形状；馬蹄形形状、半楕円形；部分的な円形の円弧；部分的な長円形の円弧；部分的な楕円形の円弧；円形の３分の１〜３分の３；楕円形の３分の１〜３分の３；長円形の３分の１〜３分の３；及び／又は、端部が開口した多角形を近似する形状などからなる群から選択され得る。例えば、図４Ｂを参照されたい。
【０１１４】
[00148]  ある実施形態では、コンタ４０２の開放経路は、側壁の前面から見たときに、湾曲した形；丸形；半円形；半長円形；Ｕ字形状；馬蹄形形状、半楕円形；部分的な円形の円弧；部分的な長円形の円弧；部分的な楕円形の円弧；円形の３分の１〜３分の３；楕円形の３分の１〜３分の３；長円形の３分の１〜３分の３；及び／又は、端部が開口した多角形を近似する形状などのうちの１つとして、実質的に（すなわち、幾何学的に完全ではない）形状決めされ得る。
【０１１５】
[00149]  ある実施形態では、コンタ４０２の開放経路は、閉じていない（すなわち、開放形状の）正多角形もしくは非正多角形、又は、使用中のときに、ベッセルネックガスケット５００の底部部分（例えば、相手側縁部５０１）及びユーザの首領域の第１の部分を受け入れるのに適切な、閉じていない（すなわち、開放形状の）ものに適切な半多角形とすることができる。この実施形態は、図には示されていないが、しかしながら、図４Ｂに示されている半円形ネック−ガスケット−アコモデータ４００の全体的な形状は、開放している正多角形又は開放している非正多角形又は開放している半多角形のコンタ４０２へと修正され得ること、及び、そのようなコンタは本発明の範囲の中にあり続けることが可能であることが、当業者に明らかであるはずである。
【０１１６】
[00150]  ある実施形態では、ネック−ガスケット−アコモデータ４００は、「ガスケット−アコモデータ」と呼ばれることができることに留意されたい。
【０１１７】
[00151]  ある実施形態では、コンタ４０２は、ベッセル１２０の底部内側表面の上側表面から離れる方を向く少なくとも１つの表面を含むことが可能である。ある実施形態では、受け入れチャネル４０８は、コンタ４０２の長さに沿っていることが可能である。例えば、この受け入れチャネル４０８の断面図に関して、図４Ａ及び図７を参照されたい。受け入れチャネル４０８は、実質的にコンタ４０２の長さに沿って、コンタ４０２の中へ切り込まれたチャネル又は溝部とすることができる。例えば、図４Ａを参照されたい。受け入れチャネル４０８の幅は、ベッセルネックガスケット５００（例えば、可撓性の部材５０５−プラス−キャリア５１１）、及び／又はクランプ６００のうちの１つ又は複数の幅に摩擦嵌めするようにサイズ決めされ得、一次的な水密シールが形成されるようになっている。例えば、図７を参照されたい。
【０１１８】
[00152]  ある実施形態では、受け入れチャネル４０８の断面は、湾曲した形；丸形；半円形；半長円形；Ｕ字形状；馬蹄形形状、半楕円形；部分的な円形の円弧；部分的な長円形の円弧；部分的な楕円形の円弧；円形の３分の１〜３分の３；楕円形の３分の１〜３分の３；長円形の３分の１〜３分の３；又は、端部が開口した多角形を近似する形状のうちの１つとして、実質的に（すなわち、幾何学的に完全ではない）形状決めされ得る。例えば、図７、図８、図９、図１０、及び図１１を参照されたい。
【０１１９】
[00153]  ある実施形態では、受け入れチャネル４０８がコンタ４０２の中へ延在する方向は、側壁１２１の主要平面に実質的に平行になっていることが可能である。例えば、図７、図８、図９、図１０、図１１、及び図１２Ｅを参照されたい。ある実施形態では、受け入れチャネル４０８がコンタ４０２の中へ延在する方向は、側壁１２１の主要平面に対して垂直になっていない（又は、実質的に垂直になっていない）ことが可能である。側壁１２１の主要平面は、側壁１２１の外部表面と実質的に共線的とすることができる。
【０１２０】
[00154]  ある実施形態では、ベッセルネックガスケット５００の底部部分は、ベッセル１２０の少なくとも１つの壁部１２１の中のネック−ガスケット−アコモデータ４００のコンタ４０２にフィットする（例えば、嵌合する）ように構成され得る。ある実施形態では、ベッセルネックガスケット５００の底部部分は、ベッセル１２０の少なくとも１つの壁部１２１の中のネック−ガスケット−アコモデータ４００のコンタ４０２の中の受け入れチャネル４０８にフィットする（例えば、嵌合する）ように構成され得る。例えば、図３Ａ、図４Ａ、図５Ａ、及び図７を参照されたい。ベッセルネックガスケット５００の相手側縁部５０１の表面積は、ネック−ガスケット−アコモデータ４００の表面積と比較して、それに等しいか、それよりも大きいか、又は、それよりも小さいことが可能である。ベッセルネックガスケット５００は、ベッセル１２０の少なくとも１つの壁１２１の中のネック−ガスケット−アコモデータ４００のコンタ４０２の少なくともいくつかの表面に相補的な相手側縁部５０１を含むことが可能である。ベッセルネックガスケット５００は、上部縁部５０３を含むことが可能である。ある実施形態では、上部縁部５０３及び相手側縁部５０１は、ベッセルネックガスケット５００の周囲部を一緒に規定することが可能である。ある実施形態では、上部縁部５０３及び相手側縁部５０１は、一緒に、ベッセルネックガスケット５００に関して閉じた形状の境界を定めて規定することが可能である。ある実施形態では、上部縁部５０３及び相手側縁部５０１は、所与の縁部の少なくともいくつかの部分に関してそれぞれ湾曲していることが可能である。ある実施形態では、上部縁部５０３に関する湾曲の半径は、縁部５０１に関する湾曲の半径とは異なっていることが可能である。例えば、図５Ａを参照されたい。ある実施形態では、上部縁部５０３は、ユーザの首領域の第１の部分を受け入れるために調節的とすることができる。ある実施形態では、ベッセルネックガスケット５００が、例えば、図２シリーズの図（例えば、図２Ａ）にあるように、ネック−ガスケット−アコモデータ４００に取り付けられ得るときに、上部縁部５０３のいくつかの部分は、リム１２２の上方に延在することが可能である（例えば、図２Ｂ）。ある実施形態では、ベッセルネックガスケット５００の相手側縁部５０１は、ベッセルネックガスケット取り付け手段によって、ネック−ガスケット−アコモデータ４００のコンタ４０２に取り付けられ得る。ある実施形態では、ベッセルネックガスケット５００の相手側縁部５０１は、コンタ４０２の受け入れチャネル４０８の中へ受け入れられ得る。
【０１２１】
[00155]  ある実施形態では、ベッセルネックガスケット取り付け手段は、クランプ６００を含むことが可能である。又は、ある実施形態では、ベッセルネックガスケット５００の相手側縁部５０１は、ネック−ガスケット−アコモデータ４００のコンタ４０２から固定距離において、ベッセルネックガスケット取り付け手段によって、少なくとも１つの壁１２１の外壁面又は内壁面のいずれかに取り付けられ得る。例えば、及び、本発明の範囲を限定することなく、ある実施形態では、固定距離は、１インチ以下とすることができる。他の実施形態では、固定距離は、他の距離とすることができる。
【０１２２】
[00156]  ある実施形態では、ベッセルネックガスケット５００は、ベッセル１２０から除去可能であり得る。ある実施形態では、ベッセルネックガスケット５００は、ネック−ガスケット−アコモデータ４００から除去可能になっていることが可能である。そのような実施形態は、据え付けられたベッセルネックガスケット５００に対する摩耗及び破れ及び／又は損傷の場合に、ベッセルネックガスケット５００を切り替えることを容易にすることが可能である。いくつかの他の実施形態では、ベッセルネックガスケット５００は、据え付けられると、ベッセル１２０から除去されなくてもよい。
【０１２３】
[00157]  ある実施形態では、ベッセルネックガスケット５００は、２つのパーツ、すなわち、可撓性の部材５０５及びキャリア５１１を含むサブアセンブリとすることができる。ある実施形態では、ベッセルネックガスケット５００は、可撓性の部材５０５及びキャリア５１１を含むことが可能である。ある実施形態では、可撓性の部材５０５及びキャリア５１１は、互いに取り付けられ得る。例えば、図５Ａを参照されたい。
【０１２４】
[00158]  ある実施形態では、可撓性の部材５０５は、内部表面５０７（図５Ｄを参照）、及び、内部表面５０７の反対側に配設されている外部表面５０９（図５Ａを参照）を備え、実質的に平面的とすることができる。外部表面５０９又は内部表面５０７のいずれかの部分は、ユーザがベッセルネックガスケット５００の部分に対抗して自分の首を置くときに、首領域と二次的な水密シールを形成することが可能である。ある実施形態では、内部表面５０７の一部分は、液体がベッセル１２０の内部容積の中に保持され得るときに、液体の一部に物理的に接触する可能性がある。
【０１２５】
[00159]  ある実施形態では、可撓性の部材５０５は、可撓性のシートとすることができる。ある実施形態では、この可撓性のシートは、一般的に、相手側縁部５０１を備えて形状決めされ得、相手側縁部５０１は、ベッセル１２０のネック−ガスケット−アコモデータ４００の一部分（例えば、受け入れチャネル４０８）をカバーするように相補的になっている。ある実施形態では、この可撓性のシートは、一般的に、相手側縁部５０１を備えて形状決めされ得、相手側縁部５０１は、受け入れチャネル４０８の一部分をカバーするように相補的になっている。ある実施形態では、この可撓性のシートは、シートの底部に沿ってガスケットを含むことが可能である。ある実施形態では、このガスケットは、相手側縁部５０１とすることができる。例えば、図５Ａ及び図５Ｆを参照されたい。
【０１２６】
[00160]  ある実施形態では、可撓性の部材５０５は、人間の皮膚に対抗して（もしくは、陸上脊椎動物の身体の外側部分に対抗して）、及び／又は、ベッセル（例えば、ベッセル１２０）に対抗して、水密シールを形成するのに適切な、及び／又は、人間の皮膚に接触するときに快適であるために適切な、１つ又は複数の材料（すなわち、構築材料）から実質的に構築され得る。ある実施形態では、可撓性の部材５０５は、シリコーン、ゴム、ネオプレン、ニトリル、ビニール、ポリエチレン、ポリプロピレン、及び／又は、人間の皮膚に対抗して、及び／又は、ベッセル（例えばベッセル１２０）に対抗して、水密シールを形成するのに適切な、及び／又は、人間の皮膚に接触するときに快適であるために適切な任意の他の材料を含むエラストマーのうちの１つ又は複数から構築され得る。ある実施形態では、ゴムは、天然ゴムとすることができる。ある実施形態では、ゴムは、ラテックスフリーを含む、合成ゴムとすることができる。ある実施形態では、可撓性の部材５０５は、圧縮可能であり得る。例えば、及び、本発明の範囲を限定することなく、ベッセルネックガスケット５００がネック−ガスケット−アコモデータ４００に取り付けられ得るときに、ネック−ガスケット−アコモデータ４００の受け入れチャネル４０８の中に存在している可能性のある内部表面５０７及び外部表面５０９の部分は、圧縮され得る。例えば、図７を参照されたい。受け入れチャネル４０８の中の可撓性の部材５０５の部分のそのような圧縮は、一次的な水密シールを形成することを支援することが可能である。比較すると、図５Ｆ及び図５Ｇは、圧縮されていない状態の可撓性の部材５０５を示すものであり得る。ある実施形態では、可撓性の部材５０５の一部分は、可撓性の部材５０５の圧縮されていない状態と比較して５％〜９５％だけ圧縮され得る。
【０１２７】
[00161]  ある実施形態では、断面で見たときに、受け入れチャネル４０８の形状（例えば、全体的な形状）は、円形の３分の１〜３分の３；楕円形の３分の１〜３分の３；長円形の３分の１〜３分の３；「Ｕ」字形状、馬蹄形形状；上部の開いた正多角形（丸みを帯びた角部の有無にかかわらない）、上部の開いた非正多角形（丸みを帯びた角部の有無にかかわらない）；及び／又は、上部の開いた半多角形（丸みを帯びた角部の有無にかかわらない）などからなる群から選択され得、部分的な円形、部分的な楕円形、部分的な長円形、又は馬蹄形形状の円弧は、少なくとも１つのベース１２５に向けて下向きに配向されている。例えば、図７、図８、図９、図１０、及び図１１を参照されたい。
【０１２８】
[00162]  ある実施形態では、内部表面５０７及び外部表面５０９は、異なるエラストマーから構築され得る。すなわち、可撓性の部材５０５は、ラミネートとすることができ、又は、平面的な層から構成され得る。内部表面５０７は、不透水性に焦点を合わせたエラストマーから構築され得る。外部表面５０９は、ユーザに対する快適性に焦点を合わせたエラストマー、すなわち、軟質の外側表面及び／又は非粘着性の外側表面を備えたエラストマーから構築され得る。そのような２つの異なるエラストマーが接合され、可撓性の部材５０５の単一の可撓性の複合部材になることが可能である。内部表面５０７を外部表面５０９に接合するための手段は、溶剤結合、熱溶着、超音波溶着、化学接着剤／シーラント、及び／又は、機械的な締結具など（例えば、ステッチング及び／又はステープルなど）によるものとすることができる。
【０１２９】
[00163]  ある実施形態では、可撓性の部材５０５は、ダイ−カッティング、スタンピング、成形、及び／又は３Ｄプリンティングによって製造され得る。
【０１３０】
[00164]  ある実施形態では、キャリア５１１は、可撓性の部材５０５に取り付けられ得る。キャリア５１１を可撓性の部材５０５に接合するための手段は、溶剤結合、熱溶着、超音波溶着、化学接着剤／シーラント、及び／又は、機械的な締結具など（例えば、ステッチング及び／又はステープルなど）によるものとすることができる。例えば、図５Ａ及び図５Ｂを参照されたい。ある実施形態では、キャリア５１１は、可撓性の部材５０５と一体的になっていることが可能である。ある実施形態では、キャリア５１１は、構造部材とすることができる。ある実施形態では、キャリア５１１は、リジッドからセミリジッドとすることができる。ある実施形態では、キャリア５１１は、１つ又は複数の熱成形プラスチック、金属、木材、複合材、及び／又はラミネートなどから実質的に構築され得る。ある実施形態では、キャリア５１１は、可撓性の部材５０５のデュロメーター硬さと比較して、より高いデュロメーター硬さを有することが可能である。ある実施形態では、キャリア５１１は、可撓性の部材５０５の底部部分に構造剛性を付与することが可能であり、それは、ベッセルネックガスケット５００の底部部分をネック−ガスケット−アコモデータ４００の受け入れチャネル４０８の中へ搭載すること又は給送することを容易にすることが可能である。例えば、図３Ａ及び図３Ｂを参照されたい。ある実施形態では、キャリア５１１は、相手側縁部５０１などのような、可撓性の部材５０５の底部表面に相補的な形状を有することが可能である。ある実施形態では、キャリア５１１及び可撓性の部材５０５の両方が、相手側縁部５０１を共有することが可能である。例えば、図３Ａ、図５Ａ、図５Ｂ、図７、図８、図９、図１０、及び図１１を参照されたい。
【０１３１】
[00165]  ある実施形態では、キャリア５１１は、コンタ４０２の開放経路の形状に相補的に形状決めされ得る。ある実施形態では、相手側縁部５０１は、受け入れチャネル４０８の形状に相補的に形状決めされ得る。例えば、図３Ａ、図７、図８、図９、図１０、及び図１１を参照されたい。
【０１３２】
[00166]  ある実施形態では、キャリア５１１は、ダイ−カッティング、スタンピング、成形、押し出し、及び／又は３Ｄプリンティングによって製造され得る。
【０１３３】
[00167]  ある実施形態では、ベッセルネックガスケット取り付け手段は、摩擦嵌め、熱溶着、超音波溶着、溶剤結合、化学接着剤及び／又はシーラント、及び／又は、機械的な締結具などのうちの１つ又は複数から選択され得る。クランプ６００の使用は、摩擦嵌めの例、及び／又は、あるタイプの機械的な締結具の例とすることができる。ベッセルネックガスケット取り付け手段は、どのようにベッセルネックガスケット５００がネック−ガスケット−アコモデータ４００に取り付けられ得るかであることを思い起こされたい。
【０１３４】
[00168]  ある実施形態では、フェイスソーキングデバイス１００の実施形態は、少なくともこれらの要素、すなわち、ベッセルネックガスケット５００、クランプ６００、及びベッセル１２０の少なくとも１つの壁部１２１のネック−ガスケット−アコモデータ４００を備えたベッセル１２０を含むことが可能である。ある実施形態では、ベッセルネックガスケットサブアセンブリは、少なくともこれらのパーツ、すなわち、ベッセルネックガスケット５００、クランプ６００、及びネック−ガスケット−アコモデータ４００を含むことが可能である。ネック−ガスケット−アコモデータ４００は、ベッセル１２０の実施形態などのような、所与のベッセルの実施形態の一部分又は領域とすることができる。
【０１３５】
[00169]  ある実施形態では、ベッセルネックガスケット５００は、クランプ６００の使用によって、ネック−ガスケット−アコモデータ４００に取り付けられ得る。例えば、図３Ａ、図３Ｂ及び図７を参照されたい。ある実施形態では、そのような取り付けは、一次的な水密シールを形成することが可能である。ある実施形態では、クランプ６００は、ネック−ガスケット−アコモデータ４００に相補的にフィットするように形状決めされ得、ベッセルネックガスケット５００の一部分が、クランプ２４０とネック−ガスケット−アコモデータ４００のコンタ４０２との間に挟まれており、一次的な水密シールを形成している。例えば、図３Ａ、図３Ｂ及び図７を参照されたい。ある実施形態では、コンタ４０２は、ベッセル１２０の底部内側表面の上側表面から離れる方を向く少なくとも１つの表面を含むことが可能である。底部内側表面は、ベッセル１２０の内側表面とすることができる。受け入れチャネル４０８の幅（ネック−ガスケット−アコモデータ４００の幅）は、ベッセルネックガスケット５００（すなわち、可撓性の部材５０５−プラス−キャリア５１１）、及び／又はクランプ６００のうちの１つ又は複数の幅に摩擦嵌めするようにサイズ決めされ得、一次的な水密シールが形成されるようになっている。例えば、図７を参照されたい。
【０１３６】
[00170]  ある実施形態では、ネック−ガスケット−アコモデータ４００のコンタ４０２へのクランプ６００のフィット式の取り付けは、除去可能になっていることが可能である。ある実施形態では、クランプ６００の少なくともいくつかの部分は、受け入れチャネル４０８の一部分の中へフィットすることが可能である。ある実施形態では、ネック−ガスケット−アコモデータ４００のコンタ４０２へのクランプ６００のフィット式の取り付けは、摩擦嵌めとすることができる。ある実施形態では、ネック−ガスケット−アコモデータ４００のコンタ４０２へのクランプ６００のフィット式の取り付けは、１つ又は複数のスナップフィットによるものとすることができる。
【０１３７】
[00171]  ある実施形態では、クランプ６００は、セミリジッドからリジッドの構築材料から構築（又は、実質的に構築）され得る。例えば、及び、本発明の範囲を限定することなく、クランプ６００は、熱成形プラスチック、金属、木材、複合材、及び／又はラミネートなどのうちの１つ又は複数から実質的に構築され得る。ある実施形態では、クランプ６００及びキャリア５１１は、同じタイプの材料から実質的に構築され得る。ある実施形態では、クランプ６００は、ダイ−カッティング、スタンピング、成形（例えば、射出成形）、押し出し、及び／又は３Ｄプリンティングを介して製造され得る。ある実施形態では、クランプ６００の上記の特質のうちの少なくともいくつか（例えば、剛性及び／又は構築材料）は、クランプ８００、９００、１０００、及び１１００と共有され得る。しかしながら、示されているように、クランプ８００、９００、１０００、及び１１００は、クランプ６００とは異なる幾何学形状及び／又は構造を有することが可能である。
【０１３８】
[00172]  図６Ａ及び図６Ｇは、スナップラッチ構造を示すものであり得、どのように（図３シリーズの）クランプ６００がネック−ガスケット−アコモデータ４００に除去可能に連結することができるかを図示している。そのようなスナップラッチ接続部がクランプ６００をネック−ガスケット−アコモデータ４００に除去可能に連結することを支援するために働くことができるかを示すものであり得る。
【０１３９】
[00173]  ある実施形態では、ネック−ガスケット−アコモデータ４００は、２つの対向する開口壁縁部４１０を含むことが可能である。ある実施形態では、２つの対向する開口壁縁部４１０は、ネック−ガスケット−アコモデータ４００が始まる場所を規定することが可能である。例えば、図４Ａ及び図４Ｃを参照されたい。ある実施形態では、それぞれの開口壁縁部４１０（例えば、左側及び右側）は、ネック−ガスケット−アコモデータ４００の少なくとも水平方向幅４０４だけ、他のものから分離されていることが可能である（例えば、水平方向幅４０４に関して図４Ｂを参照）。ある実施形態では、それぞれの開口壁縁部４１０は、リム１２２から少なくとも１つのベース１２５に向けて下向き方向に降下することが可能である。ある実施形態では、それぞれの開口壁縁部４１０は、実質的に平坦（すなわち、実質的に平坦な表面）とすることができる。例えば、図４Ａ及び図４Ｃを参照されたい。
【０１４０】
[00174]  ある実施形態では、クランプ６００は、互いに反対側に配設されている２つの末端部６０１を含むことが可能である。例えば、図６Ａ、図６Ｂ及び図６Ｃを参照されたい。ある実施形態では、それぞれの末端部６０１は、相手側壁縁部６０３を含むことが可能である。ある実施形態では、クランプ６００は、相手側壁縁部６０３を含むことが可能である。ある実施形態では、所与の相手側壁縁部６０３の少なくともいくつかの部分は、所与の末端部６０１の下方に、及び／又は、所与の末端部６０１に近接して（例えば、ある実施形態では、３インチ以内）、位置付けされ得る。例えば、図６Ａを参照されたい。図６Ａは、１つのそのような相手側壁縁部６０３、例えば、フェイスソーキングデバイス１００の前面を見ているユーザの視点から右側相手側壁縁部６０３を示すものであり得、右側相手側壁縁部６０３は、左側相手側壁縁部６０３の鏡像とすることができる。
【０１４１】
[00175]  ある実施形態では、クランプ６００がネック−ガスケット−アコモデータ４００に除去可能に連結され得るときに、それぞれの相手側壁縁部６０３は、それぞれの開口壁縁部４１０とペアにされることが可能であり、所与の開口壁縁部４１０とペアにされている相手側壁縁部６０３が、互いに相補的であり得るようになっている。例えば、図３Ａ及び図３Ｂを参照されたい。ある実施形態では、クランプ６００がネック−ガスケット−アコモデータ４００に除去可能に連結され得るきに、それぞれの相手側壁縁部６０３は、それぞれの開口壁縁部４１０とペアにされることが可能であり、それぞれの開口壁縁部４１０とペアにされている相手側壁縁部６０３が、互いに対して実質的に平行であり得るようになっている。例えば、及び、本発明の範囲を限定することなく、左側開口壁縁部４１０は、左側相手側壁縁部６０３とペアにされ得る。例えば、及び、本発明の範囲を限定することなく、右側開口壁縁部４１０は、右側相手側壁縁部６０３とペアにされ得る。ある実施形態では、それぞれの相手側壁縁部６０３は、対応する（ペアにされている）開口壁縁部４１０の上の実質的に平坦な領域を補完するように実質的に平坦とすることができる。例えば、図３Ａ及び図３Ｂを参照されたい。
【０１４２】
[00176]  ある実施形態では、左側開口壁縁部４１０が左側相手側壁縁部６０３とペアにされ得、右側開口壁縁部４１０が右側相手側壁縁部６０３とペアにされ得るときに、それぞれのペアリングは、ペアにされている相補的な表面間の摩擦嵌めとすることができる。
【０１４３】
[00177]  ある実施形態では、それぞれの相手側壁縁部６０３は、スナップラッチ６０５において終端することが可能である。例えば、図６Ａ、図６Ｂ、及び図６Ｇを参照されたい。ある実施形態では、それぞれの開口壁縁部４１０は、ポケット４１２を含むことが可能であり、ポケット４１２は、所与の開口壁縁部４１０の中へ延在する窪みとすることができる。それぞれのそのようなポケット４１２は、それぞれのスナップラッチ６０５に除去可能にフィットするようにサイズ決めされ得る。ある実施形態では、それぞれのスナップラッチ６０５は、それぞれのポケット４１２とペアにされ得、ペアにされるスナップラッチ６０５が、ペアにされるポケット４１２に除去可能にパチンと留まり、２つのそれぞれペアリングのそれぞれにおいて、除去可能なスナップラッチ接続部を形成することができるようになっている。例えば、図３Ａ及び図３Ｂを参照されたい。ある実施形態では、ペアにされるスナップラッチ６０５は、ペアにされているポケット４１２と除去可能に係合し得る突出部を含むことが可能である。例えば、図３Ａ及び図３Ｂを参照されたい。
【０１４４】
[00178]  ある実施形態では、それぞれの除去可能なスナップラッチ接続部（左側及び右側）の解放は、ユーザがそれぞれの末端部６０１を互いに向けて強く押しつぶすことによって達成され得、それは、所与のペアにされているスナップラッチ６０５を、ペアにされているポケット４１２から切り離すことが可能である。ある実施形態では、ネック−ガスケット−アコモデータ４００からのクランプ６００の解放は、また、ユーザが上向きに又はネック−ガスケット−アコモデータ４００から離れる方にクランプ６００を引っ張ることを必要とする可能性がある。ある実施形態では、それぞれの末端部６０１に近接して（例えば、３インチ以内）位置付けされている構造体が存在することが可能であり、そのような構造体は、ネック−ガスケット−アコモデータ４００からのクランプ６００の除去（すなわち、解放）を支援する、又は容易にすることが可能である。例えば、及び、本発明の範囲を限定することなく、ある実施形態では、この構造体は、ディボットなどのような窪みであり、２つの末端部６０１を互いに向けて押すためのツールを除去可能に受け入れることが可能である。例えば、図６Ａ、図６Ｂ、図６Ｃ、図６Ｇ、図２Ａ、図２Ｂ、図２Ｄ、図３Ａ、及び図３Ｂを参照されたい。例えば、及び、本発明の範囲を限定することなく、ある実施形態では、この構造体は、２つの末端部６０１を互いに向けて押す（例えば、強く押しつぶす）ために、ユーザの押している指に除去可能に係合することが可能である。
【０１４５】
[00179]  ある実施形態は、「可撓性の取り外し可能なベッセルカバー」として特徴付けられ得、それは、（１）上部開口を有し、液体を保持することができるベッセル１２０であって、ネック−ガスケット−アコモデータ４００を有する、ベッセル１２０と、（２）可撓性のシート（例えば、ベッセルネックガスケット５００）と、を含むことが可能であり、可撓性のシートは、ベッセル１２０のガスケット−アコモデータ４００をカバーするように全体的に形状決めされ得、可撓性のシートは、可撓性のシートの底部に沿って、ガスケット（例えば、相手側縁部５０１）を有しており、ガスケットの底部、及び、ベッセル１２０のガスケット−アコモデータ４００の上部は、互いに耐密に嵌合するように配置され、一次的な水密シールを形成することが可能である。
【０１４６】
[00180]  図８、図９、図１０、及び図１１は、図７に示されているものに対して比較可能な図及び実施形態を示すものであり得る。図８、図９、図１０、及び図１１は、クランプの追加的な実施形態、すなわち、クランプ８００、クランプ９００、クランプ１０００、及びクランプ１１００の追加的な実施形態をそれぞれ示している可能性があり、そのようなクランプは、ネック−ガスケット−アコモデータ４００の外側垂直方向部分の上に摩擦的に及び除去可能にパチンと留まることが可能である。例えば、図８、図９、図１０、及び図１１を参照されたい。図８、図９、図１０、及び図１１のクランプを図７のクランプ６００と比較されたい。
【０１４７】
[00181]  フェイスソーキングデバイス１００のある実施形態では、クランプは、クランプ６００、クランプ８００、クランプ９００、クランプ１０００、又はクランプ１１００などから選択され得る。
【０１４８】
[00182]  図８では、クランプ８００は、ネック−ガスケット−アコモデータ４００の外側垂直方向部分の周りに除去可能に及び摩擦的にパチンと留まることが可能である。ある実施形態では、この除去可能で摩擦的なスナップロックによって支援するために、クランプ８００は、相対的に短い突出部、すなわち、タブ８１５を含むことが可能であり、タブ８１５は、クランプ８００の垂直方向から実質的に垂直方向に突出することが可能であり、タブ８１５が、ネック−ガスケット−アコモデータ４００の底部及び外向き縁部に除去可能に係合することができるようになっている。ある実施形態では、タブ８１５は、側壁１２１の主要平面に対して実質的に垂直であり得る方向に、所与のクランプ（例えば、クランプ８００）から延在することが可能である。ある実施形態では、タブ８１５は、ネック−ガスケット−アコモデータ４００の角部の上にパチンと留まることが可能である。ある実施形態では、所与のクランプ（例えば、クランプ８００）がネック−ガスケット−アコモデータ４００に取り付けられ得るときに、タブ８１５は、ベッセル１２０に向けて突出することが可能である。例えば、図８を参照されたい。タブ８１５は、クランプ８００の垂直方向長さよりも小さい長さを有することが可能である。タブ８１５は、クランプ８００の一体的な構造体とすることができる。ある実施形態では、クランプ１０００及びクランプ１１００も、そのようなタブ８１５を含むことが可能である。例えば、図１０及び図１１を参照されたい。
【０１４９】
[00183]  図８について議論を続けると、ある実施形態では、クランプ８００は、また、フィンガープル８１１を含むことが可能である。フィンガープル８１１は、垂直方向に配向されたフィンガープルとすることができ、クランプ８００をネック−ガスケット−アコモデータ４００から除去するときに、ユーザがフィンガープル８１１の下を持ち上げることを可能にする。ある実施形態では、フィンガープル８１１は、クランプ８００の垂直方向の拡張部とすることができ、それは、タブ８１５の下方にタブ８１５を越えて延在しており、また、ネック−ガスケット−アコモデータ４００が終了する場所の下方に延在している。フィンガープル８１１は、クランプ８００の一体的な構造体とすることができる。図８に示されているような断面において、クランプ８００は、図案化された文字「ｆ」に似ていることが可能であり、上昇部の末端は、受け入れチャネル４０８に向かう点に向けてぐるりと湾曲し、幹部は、フィンガープル８１１の中へ下降し、タブ８１５のアームとなる１つだけのアームが存在していることが可能である。
【０１５０】
[00184]  また、クランプ９００（図９に示されている）及びクランプ１０００（図１０に示されている）は、それぞれ、同様のフィンガープル、すなわち、フィンガープル９１１及びフィンガープル１０１１をそれぞれ含むことが可能である。フィンガープル９１１及びフィンガープル１０１１のそれぞれは、図９及び図１０に示されている壁部１２１から離れるように実質的に垂直方向にそれぞれ延在することが可能である。例えば、図９及び図１０を参照されたい。クランプ９００の断面は、「Ｌ」字形状になっていることが可能であり、ここで、「Ｌ」字の一方の脚部は、受け入れチャネル４０８の中へ除去可能に挿入するためのものであり、「Ｌ」字の他方の脚部は、フィンガープル９１１である。図９を参照されたい。クランプ１０００の断面は、逆さま文字「Ｊ」に似ていることが可能である。クランプ１０００において、フィンガープル１０１１及びタブ８１５は、共線的であるが、互いの反対側方向に延在することが可能であり、フィンガープル１０１１は、ベッセル１２０から離れるように延在しており、タブ８１５は、ベッセル１２０に向けて延在している。図１０を参照されたい。
【０１５１】
[00185]  すべての３つのフィンガープル（例えば、フィンガープル８１１、フィンガープル９１１、及び、フィンガープル１０１１）は、構造的に異なっている可能性があるが、それぞれは、上向きに及びベッセル１２０から離れるように引っ張るために指に係合することになる明確な構造体を提供することによって、所与のクランプをネック−ガスケット−アコモデータ４００から除去する際にユーザを支援する上で、同様の目的又は同じ目的を果たすことが可能である。
【０１５２】
[00186]  追加的に、クランプ８００は、面取り部８１３を含むことが可能であり、面取り部８１３は、受け入れチャネル４０８の中に除去可能に保持されるクランプ８００の末端部分に位置付けされ得る。面取り部８１３は、面取り部とすることができ、クランプ８００を、受け入れチャネル４０８の中へ、及び、同様に受け入れチャネル４０８の中に除去可能に存在し得るベッセルネックガスケット５００の部分に対抗して、挿入することを支援することが可能である。クランプ６００、クランプ９００、クランプ１０００、及びクランプ１１００は、また、そのような面取り部８１３を含むことが可能である。また、面取り部８１３は、受け入れチャネル４０８の中に小さい領域のボイド空間を提供することによって、所与のフィンガープル（例えば、フィンガープル８１１、フィンガープル９１１、及び、フィンガープル１０１１）の使用を支援することが可能であり、ユーザが所与のフィンガープルを引っ張るときに、受け入れチャネル４０８の中のクランプの末端部が、所与の受け入れチャネル４０８のこのボイド領域の中へ関節式になる（すなわち、枢動する）ことができるようになっている。
【０１５３】
[00187]  それに限定されないが、クランプ６００、クランプ８００、クランプ９００、クランプ１０００、及びクランプ１１００などのような、本明細書で開示されている様々なクランプに関して、これらのクランプは、くさびとして技術的に機能することが可能であり、そのようなクランプの部分が受け入れチャネル４０８の中に除去可能に挿入され得るときに、受け入れチャネル４０８の中のベッセルネックガスケット５００の部分（例えば、キャリア５１１及び可撓性の部材５０５）に対抗して、並びに、コンタ４０２の表面であり得る、受け入れチャネル４０８の壁部に対抗して、対向する横方向圧縮力を生成させることに留意されたい。これらの横方向圧縮力は、本明細書で述べられているような可撓性の部材５０５の一部分を圧縮することが可能であり、それは、一次的な水密シールを生成させることを支援することが可能である。例えば、図７、図８、図９、図１０、及び図１１を参照されたい。追加的に、これらのクランプ（例えば、クランプ６００、クランプ８００、クランプ９００、クランプ１０００、及びクランプ１１００）の一部、例えば、相手側壁縁部６０３（それは、これらのクランプのそれぞれの上に存在する構造体とすることができる）は、対向する開口壁縁部４１０などのような、受け入れチャネル４０８の一部に押し付けることが可能であり、また、この機能的能力において、これらのクランプは、クランプ（堅く保持するように一緒に押し付けるデバイスと同様）として、及び／又は、くさびとして作用することが可能である。すなわち、これらのクランプのいずれかが受け入れチャネル４０８の中へ挿入され得るときに、受け入れチャネル４０８及びクランプの一部は、互いに押し付け合っていることが可能である。
【０１５４】
[00188]  図１２Ａから図１２Ｄは、様々なクランプの断面図であり得、例えば、図１２Ａの中のクランプ８００；図１２Ｂの中のクランプ９００；図１２Ｃの中のクランプ１０００；及び、図１２Ｄの中のクランプ１１００などを示すものであり得る。図１２Ｅは、ネック−ガスケット−アコモデータ４００の断面図であり得、それは、様々なクランプの部分（例えば、面取り部８１３を備える部分）を受け入れることができる受け入れチャネル４０８を含むことが可能である。図１２Ａは、クランプ８００が断面で文字「ｆ」に似ていることが可能であることを示すものであり得る。図１２Ｂは、クランプ９００が断面で文字「Ｌ」に似ていることが可能であることを示すものであり得る。図１２Ｃは、クランプ１０００が断面で文字「Ｊ」に似ていることが可能であることを示すものであり得る。図１２Ｄは、クランプ１１００が断面で文字「Ｃ」に似ていることが可能であることを示すものであり得る。
【０１５５】
[00189]  ある実施形態では、ある領域は、ネック−ガスケット−アコモデータ４００を含み、また、ネック−ガスケット−アコモデータが側壁１２１に接合する場所を含み、この領域は、断面で、アラビア数字「４」に似ている。例えば、図１２Ｅ、図７、図８、図９、図１０、及び図１１を参照されたい。
【０１５６】
[00190]  ある実施形態では、いくつかのフェイスソーキングデバイス１００コンポーネントパーツは、射出成形及び／又は３Ｄプリンティングに適切な１つ又は複数の熱可塑性物質から実質的に構築され得る。例えば、及び、本発明の範囲を限定することなく、いくつかのフェイスソーキングデバイス１００コンポーネントパーツは、アクリロニトリル−ブタジエンスチレン（ＡＢＳ）、ポリ塩化ビニル（ＰＶＣ）、ポリカーボネート、ナイロン、ポリプロピレン、ポリエチレン（例えば、ＨＤＰＥ）、エラストマー、ゴム、シリコーン、及び／又は、ファイバーグラスなどのうちの１つ又は複数の材料から実質的に構築され得る。
【０１５７】
[00191]  構築材料に関して、それによって、そのような開示の理由によって、本発明を不必要に限定することは望まれてもいないし、意図されてもいないことに留意されたい。
【０１５８】
[00192]  ある実施形態では、可撓性の部材５０５、キャリア５１１、及び／又は、様々なクランプ（例えば、クランプ６００及びクランプ９００）のような、そのようなコンポーネントパーツは、信頼性が高く高品質のダイ−カッティング（スタンピング）の製造方法によって製造され得、それは、そのようなパーツのモールドのための工具を生成させることと比較して、かなり安価である可能性があることに留意されたい。そして、他のクランプ実施形態（例えば、クランプ６００、クランプ８００、クランプ９００、クランプ１０００、及びクランプ１１００）は、適当な長さでの切断を伴う特注の押し出しによって製造することが可能であり、それは、そのようなパーツのモールドのための工具を生成させるよりも安価な、信頼性が高く高品質の製造方法とすることができる。
【０１５９】
[00193]  フェイスソーキングデバイスは、説明されてきた。本発明の様々な例示的な実施形態の先述の説明は、図示及び開示の目的のために提示されてきた。包括的であること、又は、開示されている正確な形態に本発明を限定することは意図されていない。多くの修正例及び変形例が、本発明の精神から逸脱することなく、上記の教示の観点から可能である。
【０１６０】
[00194]  最も実用的で好適な実施形態であると現在考えられているものに関連して、本発明が説明されてきたが、本発明は、開示されている実施形態に限定されるべきではないが、それとは対照的に、添付の特許請求の範囲の精神及び範囲の中に含まれる様々な修正例及び同等の配置をカバーすることが意図されていることを理解されたい。
【符号の説明】
【０１６１】
１００  フェイスソーキングデバイス１００
１２０  ベッセル１２０
１２１  少なくとも１つの壁部１２１
１２２  リム１２２
１２５  少なくとも１つのベース１２５
１３０  呼吸装置１３０
１４０  ヘッドレストサブアセンブリ１４０
１５０  ヒータサブアセンブリ１５０
１６０  エアレータ１６０
１７０  制御部１７０
４００  ネック−ガスケット−アコモデータ４００
４０２  コンタ４０２
４０４  水平方向幅４０４
４０６  最大垂直方向長さ４０６
４０８  受け入れチャネル４０８
４１０  ２つの対向する開口壁縁部４１０
４１２  ポケット４１２
５００  ベッセルネックガスケット５００
５０１  相手側縁部５０１
５０３  上部縁部５０３
５０５  可撓性の部材５０５
５０７  内部表面５０７
５０９  外部表面５０９
５１１  キャリア５１１
６００  クランプ６００
６０１  末端部６０１
６０３  相手側壁縁部６０３
６０５  スナップラッチ６０５
８００  クランプ８００
８１１  フィンガープル８１１
８１３  面取り部８１３
８１５  タブ８１５
９００  クランプ９００
９１１  フィンガープル９１１
１０００  クランプ１０００
１０１１  フィンガープル１０１１
１１００  クランプ１１００
【図１】
2017221655.tif 000003
【図２Ａ】
2017221655.tif 000004
【図２Ｂ】
2017221655.tif 000005
【図２Ｃ】
2017221655.tif 000006
【図２Ｄ】
2017221655.tif 000007
【図３Ａ】
2017221655.tif 000008
【図３Ｂ】
2017221655.tif 000009
【図４Ａ】
2017221655.tif 000010
【図４Ｂ】
2017221655.tif 000011
【図４Ｃ】
2017221655.tif 000012
【図４Ｄ】
2017221655.tif 000013
【図５Ａ】
2017221655.tif 000014
【図５Ｂ】
2017221655.tif 000015
【図５Ｃ】
2017221655.tif 000016
【図５Ｄ】
2017221655.tif 000017
【図５Ｅ】
2017221655.tif 000018
【図５Ｆ】
2017221655.tif 000019
【図５Ｇ】
2017221655.tif 000020
【図６Ａ】
2017221655.tif 000021
【図６Ｂ】
2017221655.tif 000022
【図６Ｃ】
2017221655.tif 000023
【図６Ｄ】
2017221655.tif 000024
【図６Ｅ】
2017221655.tif 000025
【図６Ｆ】
2017221655.tif 000026
【図６Ｇ】
2017221655.tif 000027
【図７】
2017221655.tif 000028
【図８】
2017221655.tif 000029
【図９】
2017221655.tif 000030
【図１０】
2017221655.tif 000031
【図１１】
2017221655.tif 000032
【図１２Ａ】
2017221655.tif 000033
【図１２Ｂ】
2017221655.tif 000034
【図１２Ｃ】
2017221655.tif 000035
【図１２Ｄ】
2017221655.tif 000036
【図１２Ｅ】
2017221655.tif 000037
【外国語明細書】
2017221655000001.pdf